(57)【要約】【課題】状態変化を検出する制御部と、状態変化に応じた処理の実行を制御する制御部を分離したメディア処理装置及びその制御方法を提供する。【解決手段】メディアへデータの書込みを行うメディアドライブ４１と、メディアのレーベル面への印刷を行うレーベルプリンタ１１と、メディアを保管するメディア保管部２１，２２と、メディアドライブ４１、レーベルプリンタ１１及びメディア保管部２１，２２にメディアを搬送可能なメディア搬送機構３１と、メディアドライブ４１及びメディア搬送機構３１の制御を行うオートローダ制御部１０２と、オートローダ制御部に制御コマンドを送信する主制御部１０１と、を有するメディア処理装置の制御方法であって、オートローダ制御部１０２は、当該メディア処理装置１の状態変化を自動ステータスバックに変換し、前記主制御部１０１に送信するステップと、主制御部１０１は、受信した自動ステータスバックに対する判定を行い、その判定結果に基づく処理を実行するステップと、を含む。【選択図】図７
2010108581.tif 000002
【特許請求の範囲】
【請求項１】
少なくとも、メディアのレーベル面への印刷を行うレーベルプリンタを備え、
前記メディアを保管するメディア保管部と、
前記レーベルプリンタ及び前記メディア保管部に前記メディアを搬送可能なメディア搬送機構と、
前記レーベルプリンタ及び前記メディア搬送機構の制御を行うオートローダ制御部と、
前記オートローダ制御部に制御コマンドを送信する主制御部と、を有するメディア処理装置の制御方法であって、
前記オートローダ制御部は、前記レーベルプリンタ及び前記メディア搬送機構のいずれかの状態変化に基づき、自動的に、ステータスに変換し前記主制御部に送信するステップと、
前記主制御部は、受信した前記ステータスに対する判定を行い、その判定結果に基づく処理を実行するステップと、
を含むことを特徴とするメディア処理装置の制御方法。
【請求項２】
少なくとも、メディアのレーベル面への印刷を行うレーベルプリンタを備え、
前記メディアを保管するメディア保管部と、
前記レーベルプリンタ及び前記メディア保管部に前記メディアを搬送可能なメディア搬送機構と、
メッセージを表示するメッセージ表示部と、入力操作のための各種入力キーと、を含む操作パネルと、
前記レーベルプリンタ及び前記メディア搬送機構の制御に加えて、前記メッセージ表示部の制御を行うオートローダ制御部と、
前記オートローダ制御部に制御コマンドを送信する主制御部と、を有するメディア処理装置の制御方法であって、
前記オートローダ制御部は、前記レーベルプリンタ及び前記メディア搬送機構のいずれかの状態変化に基づき、自動的に、ステータスに変換し前記主制御部に送信するステップと、
前記主制御部は、受信した前記ステータスに対する判定を行い、その判定の結果に基づいたメッセージを前記メッセージ表示部に表示するメッセージ表示部制御コマンドを生成して、前記オートローダ制御部へ送信するステップと、
前記オートローダ制御部は、受信した前記メッセージ表示部制御コマンドにより前記メッセージ表示部を制御するステップと、
を含むことを特徴とするメディア処理装置の制御方法。
【請求項３】
前記オートローダ制御部は、前記各種入力キーの操作に応じた入力信号を受けて、自動的に前記ステータスに変換することを特徴とする請求項２に記載のメディア処理装置の制御方法。
【請求項４】
前記オートローダ制御部は、前記メディア処理装置に設置されたセンサにより検知された状態変化に基づき、自動的に前記ステータスに変換することを特徴とする請求項２に記載のメディア処理装置の制御方法。
【請求項５】
少なくともメディアのレーベル面への印刷を行うレーベルプリンタを備え、
前記メディアを保管するメディア保管部と、
前記レーベルプリンタ及び前記メディア保管部に前記メディアを搬送可能なメディア搬送機構と、
複数の表示ランプを備える表示ランプ部と、
前記レーベルプリンタ及び前記メディア搬送機構の制御に加えて、前記表示ランプ部の制御を行うオートローダ制御部と、
前記オートローダ制御部に制御コマンドを送信する主制御部と、を有するメディア処理装置の制御方法であって、
前記オートローダ制御部は、前記レーベルプリンタ及び前記メディア搬送機構のいずれかの状態変化に基づき、自動的に、ステータスに変換し前記主制御部に送信するステップと、
前記主制御部は、受信した前記ステータスに対する判定を行い、その判定の結果に基づいて、前記複数の表示ランプを同時制御可能な表示ランプ同時制御コマンドを生成して、前記オートローダ制御部へ送信するステップと、
前記オートローダ制御部は、前記主制御部から送信された前記表示ランプ同時制御コマンドを受信し、当該表示ランプ同時制御コマンドにより指定された前記表示ランプを制御して、その点灯パターンを同時に変更させるステップと、
を含むことを特徴とするメディア処理装置の制御方法。
【請求項６】
少なくとも、メディアのレーベル面への印刷処理を行うレーベルプリンタを備え、
前記メディアの搬送を行う搬送部と、電源と、
前記レーベルプリンタと前記搬送部を制御するものであって、電源スイッチが接続されたオートローダ制御部と、
前記電源をオフする主制御部と、を備えたメディア処理装置の制御方法であって、
前記オートローダ制御部は、前記電源スイッチの状態が変化したことを検知し、自動的に、ステータスに変換して前記主制御部に送信するステップと、
前記主制御部は、受信した前記ステータスに対する判定を行い、判定結果が電源スイッチオフであると判定された場合、少なくとも前記メディアが所定の処理の途中であるかを判定するステップと、
前記メディアが処理中ではないと判定した場合に、前記電源をオフする処理を実行するステップと、を有することを特徴とするメディア処理装置の制御方法。
【請求項７】
前記メディア処理装置は、前記メディアが排出される排出部を備え、
前記主制御部が、前記ステータスを受信したとき、前記搬送部による前記メディアの搬送処理の実行中であるかを判定するステップと、
前記搬送処理の実行中であると判定した場合には、排出対象となっている前記メディアを前記排出部まで搬送する処理が終了した後に、前記電源をオフする処理を実行するステップと、を有することを特徴とする請求項６に記載のメディア処理装置の制御方法。
【請求項８】
前記メディア処理装置は、コンピュータと通信可能に接続されており、
前記主制御部は、前記ステータスを受信したとき、前記コンピュータからのデータ受信中であるかを判定するステップと、
前記コンピュータからのデータ受信中であると判定した場合には、前記データ受信が終了した後に、前記電源をオフする処理を実行するステップと、を有することを特徴とする請求項６または７に記載のメディア処理装置の制御方法。
【請求項９】
請求項１〜８のいずれかに記載されたメディア処理装置の制御方法の各手順を前記オートローダ制御部のＣＰＵ及び前記主制御部のＣＰＵに実行させることを特徴とするメディア処理装置の制御プログラム。
【請求項１０】
少なくとも、メディアのレーベル面への印刷を行うレーベルプリンタを備え、
前記メディアを保管するメディア保管部と、
前記レーベルプリンタ及び前記メディア保管部に前記メディアを搬送可能なメディア搬送機構と、
前記レーベルプリンタ及び前記メディア搬送機構の制御を行うオートローダ制御部と、
前記オートローダ制御部に制御コマンドを送信する主制御部と、
を備え、
前記オートローダ制御部は、前記レーベルプリンタ及び前記メディア搬送機構のいずれかの状態変化を、自動的に、ステータスに変換し前記主制御部に送信する自動ステータスバック送信部を有し、
前記主制御部は、受信した前記ステータスに対する判定を行う自動ステータスバック判定部を有し、その判定結果に基づく処理を実行することを特徴とするメディア処理装置。
【請求項１１】
少なくとも、メディアのレーベル面への印刷を行うレーベルプリンタを備え、
前記メディアを保管するメディア保管部と、
前記レーベルプリンタ及び前記メディア保管部に前記メディアを搬送可能なメディア搬送機構と、
メッセージを表示するメッセージ表示部と、入力操作のための各種入力キーと、を含む操作パネルと、
前記レーベルプリンタ及びメディア搬送機構の制御に加えて、前記メッセージ表示部の制御を行うオートローダ制御部と、
前記オートローダ制御部に制御コマンドを送信する主制御部と、
を備え、
前記オートローダ制御部は、前記レーベルプリンタ及び前記メディア搬送機構のいずれかの状態変化に基づき、自動的に、ステータスに変換し前記主制御部に送信する自動ステータスバック送信部を有し、
前記主制御部は、受信した前記ステータスに対する判定を行う自動ステータスバック判定部と、その判定の結果に基づいたメッセージを前記メッセージ表示部に表示するためのメッセージ表示部制御コマンドを生成し、前記オートローダ制御部に送信する制御コマンド生成部と、を有し、
さらに前記オートローダ制御部は、受信した前記メッセージ表示部制御コマンドを前記メッセージ表示部に表示するためのメッセージ表示部制御信号に変換する制御コマンド変換部を有することを特徴とするメディア処理装置。
【請求項１２】
すくなくとも、メディアのレーベル面への印刷を行うレーベルプリンタを備え、
前記メディアを保管するメディア保管部と、
前記レーベルプリンタ及び前記メディア保管部に前記メディアを搬送可能なメディア搬送機構と、
複数の表示ランプを備える表示ランプ部と、
前記レーベルプリンタ及び前記メディア搬送機構の制御に加えて、前記表示ランプ部の制御を行うオートローダ制御部と、
前記オートローダ制御部に制御コマンドを送信する主制御部と、
を備え、
前記オートローダ制御部は、前記レーベルプリンタ及び前記メディア搬送機構のいずれかの状態変化に基づき、自動的に、ステータスに変換し前記主制御部に送信する自動ステータスバック送信部を有し、
前記主制御部は、受信した前記ステータスに対する判定を行う自動ステータスバック判定部と、前記表示ランプ部の表示ランプのうち、指定された複数の表示ランプの点灯パターンを同時に変更可能な表示ランプ同時制御コマンドを生成し、前記オートローダ制御部に送信する制御コマンド生成部と、を有し、
さらに前記オートローダ制御部は、受信した前記表示ランプ同時制御コマンドを、指定された表示ランプの点灯パターンを同時に変更する制御信号に変換する制御コマンド変換部を有することを特徴とするメディア処理装置。
【請求項１３】
少なくとも、メディアのレーベル面への印刷処理を行うレーベルプリンタを備え、
前記メディアの搬送を行う搬送部と、電源と、
前記レーベルプリンタと前記搬送部を制御するものであって、電源スイッチが接続されたオートローダ制御部と、
前記電源をオフする主制御部と、を備え、
前記オートローダ制御部は、前記電源スイッチの状態が変化したことを検知し、自動的に、ステータスに変換し前記主制御部に送信する自動ステータスバック送信部を有し、
前記主制御部は、受信した前記ステータスに対する判定を行う自動ステータスバック判定部を有し、
前記自動ステータスバック判定部による、受信した前記ステータスの判定結果が電源スイッチオフである場合、
前記主制御部は、少なくとも前記メディアが所定の処理の途中ではないと判定した場合に、前記電源をオフする処理を実行することを特徴とするメディア処理装置。
【請求項１４】
前記メディアが排出される排出部を備え、
前記主制御部は、前記搬送部による前記メディアの搬送処理の実行中に、受信した前記ステータスの判定結果が電源スイッチオフである場合は、排出対象となっている前記メディアを前記排出部まで搬送する処理が終了した後に前記電源をオフする処理を実行することを特徴とする請求項１３に記載のメディア処理装置。
【請求項１５】
前記メディア処理装置は、コンピュータと通信可能に接続されており、
前記主制御部は、前記コンピュータからのデータ受信中に、受信した前記ステータスの判定結果が電源スイッチオフである場合は、前記データ受信が終了した後に前記電源をオフする処理を実行することを特徴とする請求項１３または１４に記載のメディア処理装置。
【請求項１６】
前記主制御部は、前記メディアの処理中に受信した前記自動ステータスバックの判定結果が電源スイッチオフである場合は、前記メディアの処理が終了した後に、前記電源をオフする処理を実行することを特徴とする請求項１３または１４に記載のメディア処理装置。
【請求項１７】
前記メディアを出し入れするためのカバーと、
前記カバーを施錠または解錠するための電子錠を有し、
前記主制御部は、前記電子錠を制御して、前記カバーに対し施錠または解錠することを特徴とする請求項１３から１６のいずれか１項に記載のメディア処理装置。
【発明の詳細な説明】
【技術分野】
【０００１】
本発明は、メディア処理装置、メディア処理装置の制御方法及びそのプログラムに関し、特に、操作パネルに各種メッセージ等の表示部であるＬＣＤが設けられたメディア処理装置におけるＬＣＤ（液晶ディスプレイ）のメッセージ表示制御や、複数の表示ランプ（ＬＥＤ）に同時に点灯パターンの制御を行うメディア処理装置、メディア処理装置の制御方法及びそのプログラムに関する。
【背景技術】
【０００２】
近年、多数枚のブランクＣＤ（Compact Disc）やＤＶＤ（Digital Versatile Disc）等のメディア（情報記録媒体）にデータの書き込みとレーベル印刷を行うメディア処理装置が用いられつつある。この種のメディア処理装置としては、円板状のメディアを積層状態で収容するメディアスタッカ（メディア収容部）、メディアへデータを書き込むメディアドライブ及びメディアのレーベル面に印刷を施すレーベルプリンタ（メディア処理部）、これらメディア処理部（メディアドライブやレーベルプリンタ）に対してメディアを保持して搬送するメディア搬送機構を備えたものが知られている。
【０００３】
このようなメディア処理装置には、操作パネルが設けられており、装置の状態表示が表示ランプ（ＬＥＤ）で行われている。例えば、特許文献１に開示されたメディア処理装置では、状態表示はＬＥＤのみで行っていた。また、このＬＥＤ点灯パターンはメディア処理装置本体側のファームウェアで判断して表示していた。ホストコンピュータから状態を示す情報を送ってくると、それに合わせたＬＥＤ点灯パターンを上記ファームウェアが選んでいた。
【０００４】
また、上記特許文献１のような従来のメディア処理装置においては、状態表示を行うＬＥＤに対する制御は、個々のＬＥＤに対してそれぞれ個別に行っている。
従来のＬＥＤの制御方法について、図１９を参照して説明する。図１９は、従来の制御方法によって、メディア処理装置の３つのＬＥＤに対し、点灯パターンを変更する場合の制御シーケンスを示す図である。
【０００５】
図１９に示すように、メディア処理装置の制御部は、複数（３つ）のＬＥＤに対し、順次制御コマンドを発行し、制御を行っている。図１９の例は、誤作動状態を示すエラー表示ランプであるＥｒｒｏｒＬＥＤ、電源表示ランプであるＰｏｗｅｒＬＥＤ、ビジー表示ランプであるＢｕｓｙＬＥＤ３つのＬＥＤの点灯パターンを変更する例である。
【０００６】
図１９において、まず、メディア処理装置の制御部はＰｏｗｅｒＬＥＤに対する制御コマンドを発行し（ステップＳ１０１）、制御信号をＰｏｗｅｒＬＥＤ送信して（ステップＳ１０２）、点灯パターンを例えば、「消灯」から「点灯」へ変更する（ステップＳ１０３）。次に、制御部はＢｕｓｙＬＥＤに対する制御コマンドを発行し（ステップＳ１０４）、制御信号をＢｕｓｙＬＥＤに送信して（ステップＳ１０５）点灯パターンを例えば、「消灯」から「点滅」へ変更する（ステップＳ１０６）。さらに、制御部はＥｒｒｏｒＬＥＤに対する制御コマンドを発行し（ステップＳ１０７）、制御信号をＥｒｒｏｒＬＥＤ送信して（ステップＳ１０８）点灯パターンを例えば、「消灯」から「点滅」へ変更する（ステップＳ１０９）。
【０００７】
ところで、企業などの組織では一般にＬＡＮなどのネットワークが構築され、ネットワークには管理サーバおよび多数台のクライアントＰＣ、プリンタなどの出力端末が接続されている。かかるネットワークのユーザーは、クライアントＰＣを用いて各種の文書、図形などの作成、編集を行うことができる。また、作成データを当該クライアントＰＣの内蔵メモリに保管して管理し、あるいは、ＣＤ、ＤＶＤなどの可搬型の外部記録媒体に書き込むこともできる。
【０００８】
特許文献２に記載したメディア処理装置をネットワークに接続すれば作成データをメディアに記録することもできる。記録されたメディアは、ユーザーがメディア処理装置の前面の扉を開けばスタッカから容易に取り出すことができる。このため、作成データが機密度の高い情報資産であっても、容易にメディアに記録された情報資産を取得することができる。通常、機密度の高い情報資産が記録されたディスクは厳重な管理が必要であり、容易に取り出すことができないよう管理する必要がある。
【先行技術文献】
【特許文献】
【０００９】
【特許文献１】特開２００８−１０３０３２号公報
【特許文献２】特開２０００−２６０１７２号公報
【発明の概要】
【発明が解決しようとする課題】
【００１０】
ところで、メディア処理装置において、ユーザーがメディアの補充・取り出し、メンテナンスなどの作業行う際に、ユーザーに操作の手順をガイドして、処理メニューの選択や処理モードの変更を行うためには、上記のような従来のＬＥＤ表示では不十分である。
【００１１】
このため、メディア処理装置専用のアプリケーションを用いて、ホストコンピュータのモニタディスプレイにメディア処理装置の状態を表示させて、操作手順のガイド、処理メニューの選択や処理モードの変更を行うことも考えられる。
【００１２】
しかしながら、ホストコンピュータのモニタディスプレイとメディア処理装置の設置位置が離れている場合は、モニタディスプレイを見ながらメディア処理装置に対して上記作業を行うことは困難である。また、モニタディスプレイをメディア処理装置に近接させて、これを見ながら作業することも、モニタディスプレイの筐体は比較的大きいので作業性が悪い。
【００１３】
また、上記のメディアの補充・取り出し、メンテナンスなどの作業は必ずしもホストコンピュータを必要としないので、この作業のみのために、ホストコンピュータの電源を入れ、専用アプリケーションを起動させなければならない。
【００１４】
本発明の目的は上記課題を解消することに係り、ユーザーがメディアの補充・取り出し、メンテナンスなどの作業行う際に、ユーザーに操作の手順をガイドして、処理メニューの選択や処理モードの変更を円滑に行うことができるメディア処理装置、メディア処理装置の制御方法及びそのプログラムを提供することである。
【００１５】
また、複数のＬＥＤの点灯パターンの組み合わせに固有の意味を持たせるようにすれば、少ないＬＥＤであっても、メディア処理装置の各種の状態を示すことができる。しかしながら、この場合、ＬＥＤ個々の状態変化と区別がつくように、同時に複数のＬＥＤの点灯パターンが変化することが望ましい。
従来のメディア処理装置においては、状態表示を行うＬＥＤに対する制御は、個々のＬＥＤに対してそれぞれ個別に行っているので、複数のＬＥＤの点灯パターンを変化させる場合は、各ＬＥＤに順次制御コマンドを送信する必要があった。このため、制御コマンドに対する反応性が悪いと、ＬＥＤ毎に点灯パターンが変化するタイミングがずれてしまい、ＬＥＤ個々の状態変化の場合との区別がわかりづらいという問題がある。
また、複数のＬＥＤが同時に点滅することで固有の意味を持たせる場合は、点滅タイミングの同期をとることが好ましいが、上記のような従来のメディア処理装置では、点滅タイミングの同期が取りづらいという問題がある。
本発明の他の目的は上記課題を解消することに係り、複数のＬＥＤの点灯パターンの組み合わせに固有の意味を持たせる場合に、同時に複数のＬＥＤの点灯パターンを変化させることができ、また、点滅タイミングの同期がとりやすいようにすることができるメディア処理装置、メディア処理装置の制御方法及びそのプログラムを提供することである。
【００１６】
また、メディアの管理方法としては、例えば前面の扉に鍵を設け、外部排出の際にＩＤ・パスワード等で識別認証を行い、認証に成功した場合だけ開錠できるようなセキュリティシステムが考えられる。通常、ＩＤ・パスワード等で識別認証するセキュリティシステムは電源が供給されている間は作動しているが、電源がオフされるとセキュリティシステムは解除されてしまう。例えば、物理的な電源スイッチでハード的に電源のオン／オフを行う場合には、スイッチがオフされると無条件にセキュリティシステムが解除されてしまう。したがって、機密度の高い作成メディアをスタッカに残したまま電源スイッチがオフされる可能性がある。この場合、識別認証を行わずとも作成メディアを取り出すことができてしまう。また、複数の人が使用している場合、他の人の使用中にも拘らず電源をオフしてしまうことがある。
本発明のさらに他の目的は上記課題を解消することに係り、メディア処理装置内に情報資産が書き込まれた作成済みメディアを残存させた状態でセキュリティシステムが解除されることを防止し、処理中（書き込み中、搬送中）のものを含む情報資産を保護することができるメディア処理装置、メディア処理装置の制御方法及びそのプログラムを提供することである。
【課題を解決するための手段】
【００１７】
上記目的を達成するために、本発明に係るメディア処理装置の制御方法は、
少なくとも、前記メディアのレーベル面への印刷を行うレーベルプリンタを備え、
前記メディアを保管するメディア保管部と、
前記レーベルプリンタ及び前記メディア保管部に前記メディアを搬送可能なメディア搬送機構と、
前記レーベルプリンタ及び前記メディア搬送機構の制御を行うオートローダ制御部と、
前記オートローダ制御部に制御コマンドを送信する主制御部と、を有するメディア処理装置の制御方法であって、
前記オートローダ制御部は、前記レーベルプリンタ及び前記メディア搬送機構のいずれかの状態変化に基づき、自動的に、ステータスに変換し前記主制御部に送信するステップと、
前記主制御部は、受信した前記ステータスに対する判定を行い、その判定結果に基づく処理を実行するステップと、
を含むことを特徴とする。
上記制御方法によれば、例えば、電子錠の開錠、メディアの落下、引出トレイが開けられているなどの状態変化を検知して、自動的にステータスに変換してバック（送信）するものとして主制御部に送り、主制御部が内容に基づく処理を実行して、例えば、ＬＣＤ（メッセージ表示部）の表示変更を行う、或いはＬＥＤ（表示ランプ）の点灯形態の変更を行う、或いはブザーを鳴らす、或いは内部照明を点灯／消灯する、などを実行させることができる。
また、オートローダ制御部に電源スイッチを接続し、主制御部に電源を接続する構成とすれば、メディアの処理中などの場合に電源スイッチをオン／オフされても、主制御部がメディアの処理が終了してから電源をオフするようにすることができる。
また、各機能部（ハードウェア）の変更を伴わない、コンピュータ側のアプリケーションの仕様変更等があっても、主制御部の変更（主制御部の交換あるいは、主制御部のソフトウェアの更新）のみで対処することができる。
【００１８】
また、上記目的を達成するために、本発明に係るメディア処理装置の制御方法は、
少なくとも、メディアのレーベル面への印刷を行うレーベルプリンタを備え、
前記メディアを保管するメディア保管部と、
前記レーベルプリンタ及び前記メディア保管部に前記メディアを搬送可能なメディア搬送機構と、
メッセージを表示するメッセージ表示部と、入力操作のための各種入力キーと、を含む操作パネルと、
前記レーベルプリンタ及び前記メディア搬送機構の制御に加えて、前記メッセージ表示部の制御を行うオートローダ制御部と、
前記オートローダ制御部に制御コマンドを送信する主制御部と、を有するメディア処理装置の制御方法であって、
前記オートローダ制御部は、前記レーベルプリンタ及び前記メディア搬送機構のいずれかの状態変化に基づき、自動的に、ステータスに変換し前記主制御部に送信するステップと、
前記主制御部は、受信した前記ステータスに対する判定を行い、その判定の結果に基づいたメッセージを前記メッセージ表示部に表示するメッセージ表示部制御コマンドを生成して、前記オートローダ制御部へ送信するステップと、
前記オートローダ制御部は、受信した前記メッセージ表示部制御コマンドにより前記メッセージ表示部を制御するステップと、
を含むことを特徴とする。
上記制御方法によれば、ユーザーがメディアの補充・取り出し、メンテナンスなどの作業行う際に、メディア処理装置の操作パネルに設けられたメッセージ表示部に、当該メディア処理装置の状態変化に基づくメッセージ表示がなされるのをユーザーが見ることにより、このユーザーに対して操作の手順をガイドして、処理メニューの選択や処理モードの変更を円滑に行うことができる。
また、好ましくは、前記オートローダ制御部は、前記各種入力キーの操作に応じた入力信号を受けて、前記ステータスに変換することを特徴とする。
上記制御方法によれば、ユーザーが操作パネルから入力キーの操作により入力した情報に応じて、処理メニューの選択や処理モードの変更を行うことができる。
また、好ましくは、前記オートローダ制御部は、前記メディア処理装置に設置されたセンサにより検知された状態変化に基づき、自動的に前記ステータスに変換することを特徴とする。
上記制御方法によれば、当該メディア処理装置の状態変化がセンサにより検知され、これに応じて、メッセージ表示部に表示されるメッセージが変更され、ユーザーに対する操作手順のガイドを行うことができる。
【００１９】
また、上記目的を達成するために、本発明に係るメディア処理装置の制御方法は、
少なくとも、メディアのレーベル面への印刷を行うレーベルプリンタを備え、
前記メディアを保管するメディア保管部と、
前記レーベルプリンタ及び前記メディア保管部に前記メディアを搬送可能なメディア搬送機構と、
複数の表示ランプを備える表示ランプ部と、
前記レーベルプリンタ及び前記メディア搬送機構の制御に加えて、前記表示ランプ部の制御を行うオートローダ制御部と、
前記オートローダ制御部に制御コマンドを送信する主制御部と、を有するメディア処理装置の制御方法であって、
前記オートローダ制御部は、前記レーベルプリンタ及び前記メディア搬送機構のいずれかの状態変化に基づき、自動的にステータスに変換し前記主制御部に送信するステップと、
前記主制御部は、受信した前記ステータスに対する判定を行い、その判定の結果に基づいて、前記複数の表示ランプを同時制御可能な表示ランプ同時制御コマンドを生成して、前記オートローダ制御部へ送信するステップと、
前記オートローダ制御部は、前記主制御部から送信された前記表示ランプ同時制御コマンドを受信し、当該表示ランプ同時制御コマンドにより指定された前記表示ランプを制御して、その点灯パターンを同時に変更させるステップと、
を含むことを特徴とする。
上記制御方法によれば、複数の表示ランプの点灯パターンの組み合わせに固有の意味を持たせる場合に、個々の表示ランプの点灯パターンの変化タイミングのずれを無くすこと、あるいは、少なくすることができる。また、複数の表示ランプを同時に点滅させたい場合に、点滅タイミングの同期がとりやすいようにすることができる。
【００２０】
また、上記目的を達成するために、本発明に係るメディア処理装置の制御方法は、
少なくとも、メディアのレーベル面への印刷処理を行うレーベルプリンタを備え、前記メディアの搬送を行う搬送部と、電源と、
前記レーベルプリンタと前記搬送部を制御するものであって、電源スイッチが接続されたオートローダ制御部と、
前記電源をオフする主制御部と、を備えたメディア処理装置の制御方法であって、
前記オートローダ制御部は、前記電源スイッチの状態が変化したことを検知し、自動的に、ステータスに変換して前記主制御部に送信するステップと、
前記主制御部は、受信した前記ステータスに対する判定を行い、判定結果が電源スイッチオフであると判定された場合、少なくとも前記メディアが所定の処理の途中であるかを判定するステップと、
前記メディアが処理中ではないと判定した場合に、前記電源をオフする処理を実行するステップと、を有することを特徴とする。
また、前記メディア処理装置は、前記メディアが排出される排出部を備え、
前記主制御部が、前記ステータスを受信したとき、前記搬送部による前記メディアの搬送処理の実行中であるかを判定するステップと、
前記搬送処理の実行中であると判定した場合には、排出対象となっている前記メディアを前記排出部まで搬送する処理が終了した後に、前記電源をオフする処理を実行するステップと、を有することを特徴とする。
また、前記メディア処理装置は、コンピュータと通信可能に接続されており、
前記主制御部は、前記ステータスを受信したとき、前記コンピュータからのデータ受信中であるかを判定するステップと、
前記コンピュータからのデータ受信中であると判定した場合には、前記データ受信が終了した後に、前記電源をオフする処理を実行するステップと、を有することを特徴とする。
【００２１】
また、上記目的を達成するために、本発明に係るメディア処理装置の制御プログラムは、メディア処理装置の制御方法の各手順を、前記オートローダ制御部のＣＰＵ及び前記主制御部のＣＰＵに実行させることを特徴とする。
【００２２】
また、上記目的を達成するために、本発明に係るメディア処理装置は、
少なくとも、メディアのレーベル面への印刷を行うレーベルプリンタを備え、
前記メディアを保管するメディア保管部と、
前記レーベルプリンタ及び前記メディア保管部に前記メディアを搬送可能なメディア搬送機構と、
前記レーベルプリンタ及び前記メディア搬送機構の制御を行うオートローダ制御部と、
前記オートローダ制御部に制御コマンドを送信する主制御部と、
を備え、
前記オートローダ制御部は、前記レーベルプリンタ及び前記メディア搬送機構のいずれかの状態変化を、自動的に、ステータスに変換し前記主制御部に送信する自動ステータスバック送信部を有し、
前記主制御部は、受信した前記ステータスに対する判定を行う自動ステータスバック判定部を有し、その判定結果に基づく処理を実行することを特徴とする。
上記構成によれば、自動ステータスバック送信部がメディア処理装置の状態変化を自動的にステータスに変換して主制御部に送信し、主制御部は、受信したステータスに対する判定を行って、その判定結果に基づく処理を実行することができるので、例えば、カバーの電子錠の開錠、搬送中のメディアの落下、メディア排出用の引出トレイが開けられているなどの状態変化を検知して、ＬＣＤ（メッセージ表示部）の表示変更を行う、或いはＬＥＤ（表示ランプ）の点灯形態の変更を行う、或いはブザーを鳴らす、或いは内部照明を点灯／消灯する、などを実行させることができる。
また、オートローダ制御部に電源スイッチを接続し、主制御部に電源を接続し制御する構成とすれば、メディアの処理中などの場合に電源スイッチをオン／オフされても、メディアの処理が終了してから電源をオフするようにすることができる。
また、各機能部（ハードウェア）の変更を伴わない、コンピュータのアプリケーションの仕様変更等があっても、主制御部の変更（主制御部の交換あるいは、主制御部のソフトウェアの更新）のみで対処することができる。
【００２３】
また、上記目的を達成するために、本発明に係るメディア処理装置は、
少なくとも、メディアのレーベル面への印刷を行うレーベルプリンタと、
前記メディアを保管するメディア保管部と、
前記レーベルプリンタ及び前記メディア保管部に前記メディアを搬送可能なメディア搬送機構と、
メッセージを表示するメッセージ表示部と、入力操作のための各種入力キーと、を含む操作パネルと、
前記レーベルプリンタ及びメディア搬送機構の制御に加えて、前記メッセージ表示部の制御を行うオートローダ制御部と、
前記オートローダ制御部に制御コマンドを送信する主制御部と、
を備え、
前記オートローダ制御部は、前記レーベルプリンタ及び前記メディア搬送機構のいずれかの状態変化に基づき、自動的に、ステータスに変換し前記主制御部に送信する自動ステータスバック送信部を有し、
前記主制御部は、受信した前記ステータスに対する判定を行う自動ステータスバック判定部と、その判定の結果に基づいたメッセージを前記メッセージ表示部に表示するためのメッセージ表示部制御コマンドを生成し、前記オートローダ制御部に送信する制御コマンド生成部と、を有し、
さらに前記オートローダ制御部は、受信した前記メッセージ表示部制御コマンドを前記メッセージ表示部に表示するためのメッセージ表示部制御信号に変換する制御コマンド変換部を有することを特徴とする。
上記構成によれば、自動ステータスバック送信部がメディア処理装置の状態変化を自動的に、ステータスに変換して主制御部に送信し、メッセージ表示部制御コマンド生成部はステータスに対する判定結果に基づいたメッセージをメッセージ表示部に表示するメッセージ表示部制御コマンドを生成してオートローダ制御部に送信して、オートローダ制御部がメディア処理装置の操作パネルに設けられたメッセージ表示部にこのメッセージを表示することができる。ユーザーがメディアの補充・取り出し、メンテナンスなどの作業行う際に、上記メッセージをユーザーが見ることにより、操作の手順をガイドして、処理メニューの選択や処理モードの変更を円滑に行うことができる。
また、オートローダ制御部と主制御部がそれぞれ独立して設けられているので、コンピュータのアプリケーションの仕様変更等があっても、主制御部の変更（主制御部の交換あるいは、主制御部のソフトウェアの更新）のみで対処することができる。
【００２４】
また、上記目的を達成するために、本発明に係るメディア処理装置は、
少なくとも、メディアのレーベル面への印刷を行うレーベルプリンタを備え、
前記メディアを保管するメディア保管部と、
前記レーベルプリンタ及び前記メディア保管部に前記メディアを搬送可能なメディア搬送機構と、
複数の表示ランプを備える表示ランプ部と、
前記レーベルプリンタ及び前記メディア搬送機構の制御に加えて、前記表示ランプ部の制御を行うオートローダ制御部と、
前記オートローダ制御部に制御コマンドを送信する主制御部と、
を備え、
前記オートローダ制御部は、前記レーベルプリンタ及び前記メディア搬送機構のいずれかの状態変化に基づき、自動的に、ステータスに変換し前記主制御部に送信する自動ステータスバック送信部を有し、
前記主制御部は、受信した前記ステータスに対する判定を行う自動ステータスバック判定部と、前記表示ランプ部の表示ランプのうち、指定された複数の表示ランプの点灯パターンを同時に変更可能な表示ランプ同時制御コマンドを生成し、前記オートローダ制御部に送信する制御コマンド生成部と、を有し、
さらに前記オートローダ制御部は、受信した前記表示ランプ同時制御コマンドを、指定された表示ランプの点灯パターンを同時に変更する制御信号に変換する制御コマンド変換部を有することを特徴とする。
上記構成によれば、１つの表示ランプ同時制御コマンドによって、同時に複数の表示ランプの点灯パターンを変更させることができるので、複数の表示ランプの点灯パターンの組み合わせに固有の意味を持たせる場合に、個々の表示ランプの点灯パターンの変化タイミングのずれを無くすこと、あるいは、少なくすることができる。また、複数の表示ランプを同時に点滅させたい場合に、点滅タイミングの同期がとりやすいようにすることができる。
また、オートローダ制御部と主制御部がそれぞれ独立して設けられているので、コンピュータのアプリケーションの仕様変更等があっても、主制御部の変更（主制御部の交換あるいは、主制御部のソフトウェアの更新）のみで対処することができる。
【００２５】
また、上記目的を達成するために、本発明に係るメディア処理装置は、
少なくとも、メディアのレーベル面への印刷処理を行うレーベルプリンタを備え、
前記メディアの搬送を行う搬送部と、電源と、
前記レーベルプリンタと前記搬送部を制御するものであって、電源スイッチが接続されたオートローダ制御部と、
前記電源をオフする主制御部と、を備え、
前記オートローダ制御部は、前記電源スイッチの状態が変化したことを検知し、自動的に、ステータスに変換し前記主制御部に送信する自動ステータスバック送信部を有し、
前記主制御部は、受信した前記ステータスに対する判定を行う自動ステータスバック判定部を有し、
前記自動ステータスバック判定部による、受信した前記ステータスの判定結果が電源スイッチオフである場合、
前記主制御部は、少なくとも前記メディアが所定の処理の途中ではないと判定した場合に、前記電源をオフする処理を実行することを特徴とする。
上記構成によれば、電源スイッチはオートローダ制御部に接続され、電源は主制御部に制御可能に接続されている。つまり、電源スイッチと電源をオフするものとは別の制御部に接続されているので、電源スイッチをオフしても、直ちに電源がオフされることはない。また、電源が接続された主制御部は、少なくともメディアの処理中ではないと判定した場合に電源をオフする。すなわち、メディア処理装置内に処理中のメディアが保管された状態では電源がオフされることがない。このため、ＩＤ・パスワード等で識別認証を行ってから開錠する等のセキュリティシステムが維持されるので正当なメディア作成者以外の者に書き込み済みメディアを入手されることを防止することができる。すなわち、処理中または書き込み済みメディアを第三者が取り出すことはできない。
また、好ましくは、上記メディア処理装置において、
前記メディアが排出される排出部を備え、
前記主制御部は、前記搬送部による前記メディアの搬送処理の実行中に、受信した前記ステータスの判定結果が電源スイッチオフである場合は、排出対象となっている前記メディアを前記排出部まで搬送する処理が終了した後に前記電源をオフする処理を実行することを特徴とする。
上記構成によれば、排出対象となっているメディアを排出する処理が終了するまで電源がオフされることがない。例えば、メディアが複数枚積層されたスタッカから、特定のメディアだけを排出したい場合は、特定のメディアの上に重なっている他のメディアをオートローダ制御部が１枚ずつ取り出して他のスタッカへ移動させ、特定のメディアだけを排出部へ排出する。そして、先に移動させておいた他のメディアを元のスタッカへ戻す、という一連の搬送処理を実行する必要がある。本発明によれば、このような場合は一連の搬送処理が終了するまで、電源がオフされないため、メディアの積層順が入れ替わってしまうことを防止することができ、メディアが正常に排出されることを保証することができる。
また、好ましくは、上記メディア処理装置において、前記メディア処理装置は、コンピュータと通信可能に接続されており、
前記主制御部は、前記コンピュータからのデータ受信中に、受信した前記ステータスの判定結果が電源スイッチオフである場合は、前記データ受信が終了した後に前記電源をオフする処理を実行することを特徴とする。
上記構成によれば、データ受信中に受信したステータスの判定結果が電源スイッチオフである場合も、データ受信が終了するまで電源がオフされることがないので、受信中のデータが途切れることを防止することができる。
また、好ましくは、上記メディア処理装置において、前記主制御部は、前記メディアの処理中に、受信した前記自動ステータスバックの判定結果が電源スイッチオフである場合は、前記メディアの処理が終了した後に、前記電源をオフする処理を実行することを特徴とする。
上記構成によれば、メディアの処理中に受信したステータスの判定結果が電源スイッチオフである場合も、メディアの処理が終了するまで、源がオフされることがないので、メディアの処理が途切れることを防止することができ、書き込み済みメディアが確実に取り出されるまでセキュリティを確保することができる。
また、好ましくは、上記メディア処理装置において、
前記メディアを出し入れするためのカバーと、
前記カバーを施錠または解錠するための電子錠を有し、
前記主制御部は、前記電子錠を制御して、前記カバーに対し施錠または解錠することを特徴とする。
例えば、メディア処理装置本体側とカバー側に取り付けたフックが係合することにより施錠できる鍵を構成し、一方のフックをプランジャーなどで電磁的に移動することで、施錠、解錠できる電子錠を構成できる。
メディア処理装置内に、処理中のメディアまたは書き込み済みメディアが保管されているときなど、必要なときに施錠しておくことができる。また、電源がオフしたときに解錠することで、次のメディアを補充するなどができる。このため、第三者に処理中または書き込み済みメディアを取り出されることを防止できる。
また、電源がオフになっているときに、施錠することも可能である。この場合、メディア処理装置内に、処理中のメディアまたは書き込み済みメディアが残っていても、第三者に取り出されることを防止できる。
【図面の簡単な説明】
【００２６】
【図１】各部を閉状態としたメディア処理装置の外観斜視図である。
【図２】各部を開状態としたメディア処理装置の外観斜視図である。
【図３】メディア処理装置のケースを外した状態の前方上側から見た斜視図である。
【図４】メディア処理装置に設置されたレーベルプリンタ部分の斜視図である。
【図５】本発明の実施形態に係るメディア処理装置の制御構成要部を示すブロック図である。
【図６】本発明の実施形態に係るメディア処理装置の操作パネルの拡大図である。
【図７】本発明の実施形態に係るメディア処理装置の表示制御方法を説明するためのシーケンス図である。
【図８】本発明の実施例１に係るメディア処理装置におけるＬＣＤ（メッセージ表示部）の表示制御方法を説明するためのシーケンス図である。
【図９】本発明の実施例１に係るメディア処理装置のＬＣＤ（メッセージ表示部）におけるユーザーの作業をガイドする際の一具体例を示した図である。
【図１０】本発明の実施例２に係るメディア処理装置の表示ランプ部の拡大図である。
【図１１】本発明の実施例２に係るメディア処理装置の制御構成要部を示すブロック図である。
【図１２】本発明の実施例２に係るメディア処理装置における表示ランプ同時制御コマンドによる３個のＬＥＤの同時制御のシーケンスを示す図である。
【図１３】本発明の実施例２に係るメディア処理装置における表示ランプ同時制御コマンドによる２個のＬＥＤの同時制御のシーケンスを示す図である。
【図１４】本発明の実施例２に係るメディア処理装置における表示ランプ同時制御コマンドによる１個のＬＥＤの同時制御のシーケンスを示す図である。
【図１５】本発明の実施例３に係るメディア処理装置の内部処理を説明するブロック図である。
【図１６】本発明の実施例３に係るメディア処理装置のジョブ管理テーブルの一例である。
【図１７】本発明の実施例３に係るメディア処理装置の更新後のジョブ管理テーブルである。
【図１８】本発明の実施例３に係るメディア処理装置の制御方法を説明するためのフローチャートである。
【図１９】従来の制御方法によって、メディア処理装置の３つのＬＥＤに対し、点灯パターンを変更する場合の制御シーケンスを示す図である。
【発明を実施するための形態】
【００２７】
以下、本発明に係るメディア処理装置、メディア処理装置の制御方法及びその制御プログラムの実施形態を、図面を参照しつつ説明する。
図１は、各部を閉状態としたメディア処理装置の外観斜視図、図２は各部を開状態としたメディア処理装置の外観斜視図、図３はメディア処理装置のケースを外した状態の前方上側から見た斜視図である。図４はメディア処理装置に設置されたレーベルプリンタ部分の斜視図である。
【００２８】
まず、本実施形態のメディア処理装置の全体構成について説明する。
図１に示すように、メディア処理装置１は、ＣＤやＤＶＤ等の円板状のメディアヘのデータの書き込みやメディアのレーベル面への印刷を行う装置であり、ほぼ直方体形状のケース２を備えている。このケース２の前面には、開閉可能な開閉扉３,４が取り付けられている。ケース２の上側左端部には、表示ランプであるＬＥＤ（Light Emitting Diode：発光ダイオード）と、各種メッセージ等のメッセージ表示部であるＬＣＤ（Liquid Crystal Display：液晶ディスプレイ）、入力操作のための各種入力キーが配列された操作パネル５（後述の図７にて詳細に説明する）が設けられている。また、ケース２の下端には、下方に突出するように載置用の脚部６が左右両側に設けられている。左右の脚部６の間位置には引出機構７が設けられている。
【００２９】
正面視右側の開閉扉３は、図２に示すように、メディア処理装置１の前面側の開口部８を開閉するもので、例えば未使用（ブランク）のメディアＭを開口部８を介してセットする時、あるいは作成済みのメディアＭを、開口部８を介して取り出すときに、開閉する扉である。
【００３０】
また、正面視左側の開閉扉４は、図３に示すレーベルプリンタ１１のインクカートリッジ１２の入れ換え時に開閉するためのものであり、この開閉扉４を開けると、鉛直方向に配列された複数のカートリッジホルダ１３を有するカートリッジ装着部１４が露出するようになっている。
【００３１】
開閉扉３の端部には扉側フック９が形成され、ケース２には、開閉扉３が閉じたとき、フック９に対応する位置にケース側フック１０が形成されており、互いに係合可能となっている。ケース２の内部にはケース側フック１０と接続されている不図示のプランジャーが搭載されており、通電することによりケース側フック１０を移動でき、扉側フック９に対し係合したり係合を解除したりできる電子錠を構成する。電源オン、オフを含む動作と連動して、この電子錠を施錠、解錠することができる。
【００３２】
図２及び図３に示すように、メディア処理装置１のケース２の内部には、データ書き込み処理が行われていない複数枚（例えば５０枚）の未使用のメディアＭをスタック可能なメディア保管部としてのメディアスタッカ２１と、複数枚（例えば５０枚）の未使用のメディアＭあるいは作成済みメディアＭが保管されるメディア保管部としてのメディアスタッカ２２とが保管されるメディアＭの中心軸線が同一となるように上下に配置されている。メディアスタッカ２１及びメディアスタッカ２２は、それぞれ所定位置に対して着脱自在である。
【００３３】
上側のメディアスタッカ２１は、左右一対の円弧状の枠板２４，２５を備えており、これにより、メディアＭを上側から受け入れ、同軸に積層した状態で収容可能な構成をなしている。メディアスタッカ２１にメディアＭを収容あるいは補充する作業は、開閉扉３を開けてメディアスタッカ２１を取り出すことにより、簡単に行うことが可能となっている。
【００３４】
下側のメディアスタッカ２２も同一構造となっており、左右一対の円弧状の枠板２７，２８を備え、これによって、メディアＭを上側から受け入れ、同軸に積層した状態で収容可能なメディアスタッカが構成されている。
【００３５】
図３に示すように、メディアスタッカ２１及びメディアスタッカ２２の後側には、メディア搬送機構３１が配置されている。メディア搬送機構３１は、本体フレーム３０とシャーシ３２の天板３３との間に垂直に架け渡されている垂直ガイド軸３５を有している。この垂直ガイド軸３５に搬送アーム３６が昇降及び旋回可能な状態で支持されている。搬送アーム３６は、駆動モータ３７によって垂直ガイド軸３５に沿って昇降可能であるとともに、垂直ガイド軸３５を中心に左右に旋回可能である。
【００３６】
上下のメディアスタッカ２１，２２及びメディア搬送機構３１の側方の後方の部位には、上下に積層された２つのメディアドライブ４１が配置され、これらメディアドライブ４１の下側にレーベルプリンタ１１の後述するキャリッジ６２が移動可能に配置されている。
メディアドライブ４１は、メディアＭへのデータ書き込み位置とメディアＭの受け取り受け渡しを行うメディア受け渡し位置との間を移動可能なメディアトレイ４１ａをそれぞれ有している。
【００３７】
また、レーベルプリンタ１１は、メディアＭのレーベル面へのレーベル印刷可能な印刷位置とメディアＭの受け取り受け渡しを行うメディア受け渡し位置との間を移動可能なメディアトレイ４５を有している。
【００３８】
図３では、上下のメディアドライブ４１のメディアトレイ４１ａが手前に引き出されてメディア受け渡し位置にある状態及び下側のレーベルプリンタ１１のメディアトレイ４５が手前側のメディア受け渡し位置にある状態が示されている。また、レーベルプリンタ１１はインクジェットプリンタであり、インク供給機構６０として各色（例えば、ブラック、シアン、マゼンタ、イエロー、ライトシアン、ライトマゼンタの６色）のインクカートリッジ１２が用いられ、これらのインクカートリッジ１２がカートリッジ装着部１４の各カートリッジホルダ１３に前方から装着されている。
【００３９】
ここで、メディアスタッカ２１の左右一対の枠板２４，２５の間及びメディアスタッカ２２の左右一対の枠板２７，２８の間には、メディア搬送機構３１の搬送アーム３６が昇降可能な隙間が形成されている。また、これら上下のメディアスタッカ２１とメディアスタッカ２２との間には、メディア搬送機構３１の搬送アーム３６が水平に旋回して、メディアスタッカ２２の真上に位置できるように隙間が開いている。さらに、両メディアトレイ４１ａをメディアドライブ４１に押し込むと、メディア搬送機構３１の搬送アーム３６を下降させて、メディア受け渡し位置にあるメディアトレイ４５にアクセス可能となっている。
【００４０】
メディア搬送機構３１の搬送アーム３６は、両メディアトレイ４１ａをデータ書き込み位置に位置させ、メディアトレイ４５を奥側の印刷位置に位置させた状態で、メディアトレイ４５の高さ位置よりもさらに下側まで下降可能となっている。そして、メディアトレイ４５のメディア受け渡し位置の下方には、搬送アーム３６がこの位置まで下降してリリースしたメディアＭが通過するガイド穴であって、後述するメディアスタッカ（別体メディアスタッカ）が装着されるガイド穴６５が形成されている。
【００４１】
図２及び図３に示すように、引出機構７は、本体フレーム３０の下側に、本体フレーム３０から引き出して開いたり、収納して閉じたりすることが可能な引出トレイ７０を有している。引出トレイ７０には、メディアスタッカ部７１が下方に凹んで設けられている。引出トレイ７０が収納位置（閉位置）にあるとき、メディアスタッカ部７１は、ガイド穴６５の下方に位置し、メディアスタッカ部７１の中心部は、受け渡し位置にある両メディアトレイ４１ａとメディアトレイ４５の中心軸線が同一となるように位置されている。このメディアスタッカ部７１は、ガイド穴６５を介して投入されるメディアＭを受け入れ、このメディアＭを比較的少量（例えば５枚〜１０枚程度）だけ収容する。メディアスタッカ部７１は、メディアＭを上側から受け入れ、同軸に積層した状態で収容可能となっている。
【００４２】
収納状態にある引出トレイ７０のメディアスタッカ部７１及びガイド穴６５には、メディアスタッカ部７１よりもメディアＭの収容量が多いメディアスタッカ（別体メディアスタッカ）７２が着脱可能となっている（図３参照）。このメディアスタッカ７２も、一対の円弧状の枠板７３，７４を備えており、これによって、メディアＭを上側から受け入れ、同軸に積層した状態で複数枚（例えば５０枚）収容可能となっている。一対の円弧状の枠板７３，７４の間には、メディア搬送機構３１の搬送アーム３６が昇降可能な隙間が形成されている。また、一方の枠板７４の上部には着脱時にユーザーによって把持される取っ手７５が設けられている。
【００４３】
そして、メディアスタッカ７２を取り付けた状態とすれば、下側のメディアスタッカ２２から未使用のメディアＭを取り出し、メディアドライブ４１およびレーベルプリンタ１１でデータ記録および印刷を行った後に、メディアスタッカ７２に収容することができる。
また、例えば、上側のメディアスタッカ２１および下側のメディアスタッカ２２にそれぞれの最大収容枚数（５０枚＋５０枚）の未使用のメディアＭを装填し、下側のメディアスタッカ２２の全枚数（５０枚）のメディアＭを順次処理してメディアスタッカ７２に収容し、次に、上側のメディアスタッカ２１の全枚数（５０枚）のメディアＭを順次処理して、空となった下側のメディアスタッカ２２に収容する。このようにして、上側のメディアスタッカ２１および下側のメディアスタッカ２２の最大収容枚数（５０枚＋５０枚）のメディアＭを一度に処理する（バッチ処理モード）。
【００４４】
また、メディアスタッカ７２を取り外した状態とすれば、上側のメディアスタッカ２１あるいは下側のメディアスタッカ２２から未使用のメディアＭを取り出し、メディアドライブ４１及びレーベルプリンタ１１でデータ記録及び印刷を行った後に、収納状態にある引出トレイ７０のメディアスタッカ部７１に収容することができる。
【００４５】
これにより、その後、引出トレイ７０を引き出すことでメディアスタッカ部７１から処理が完了したメディアＭを取り出すことができる。つまり、メディアＭへの処理中であっても、開閉扉３を閉じたまま、処理が完了したメディアＭから順に１枚ずつあるいは複数枚ずつ取り出すことができる（外部排出モード）。
【００４６】
さらに、メディアスタッカ２１あるいはメディアスタッカ２２の一方に未使用のメディアＭを収容しておき、他方に作成済みのメディアＭを収容することもできる。すなわち、メディアスタッカ２１（あるいはメディアスタッカ２２）から未使用のメディアＭを取り出し、メディアドライブ４１及びプリンタ１１でデータ記録及び印刷を行った後に、メディアスタッカ２２（あるいはメディアスタッカ２１）へ作成済みのメディアＭを収容する。
この場合、作成済みメディアＭを取り出したい場合は、取り出し対象となっている作成済みメディアＭの上に積層されている他のメディアＭを別のスタッカへ搬送し、作成済みメディアＭのみをメディアスタッカ部７１に搬送する。その後、別のスタッカへ搬送された他のメディアＭを元のスタッカへ戻す（セキュリティモード）。
【００４７】
ここで、メディア搬送機構３１の搬送アーム３６の昇降及び左右への旋回の組み合わせ動作によって、メディアＭは、メディアスタッカ２１、メディアスタッカ２２、引出トレイ７０のメディアスタッカ部７１（またはメディアスタッカ７２）、各メディアドライブ４１のメディアトレイ４１ａ及びレーベルプリンタ１１のメディアトレイ４５間で適宜搬送される。
【００４８】
図４に示すように、レーベルプリンタ１１はインク吐出用のノズル（図示省略）を備えたインクジェットヘッド６１を有するキャリッジ６２を備えており、このキャリッジ６２は、キャリッジモータの駆動力でキャリッジガイド軸に沿って水平方向に往復移動する（図示省略）。
【００４９】
レーベルプリンタ１１は、インクカートリッジ１２が装着されるカートリッジ装着部１４を有するインク供給機構６０を備えている。このインク供給機構６０は、縦型構造を有しており、メディア処理装置１の本体フレーム３０上に立設されて鉛直方向に配設されている。このインク供給機構６０には、可撓性を有するインク供給チューブ６３の一端が接続されており、このインク供給チューブ６３の他端は、キャリッジ６２に接続されている。
【００５０】
そして、インク供給機構６０に装着されるインクカートリッジ１２のインクは、インク供給チューブ６３を介してキャリッジ６２に供給され、このキャリッジ６２に設けられたダンパユニット及び背圧調整ユニット（図示省略）を経てインクジェットヘッド６１に供給されインクノズル（図示省略）から吐出される。
なお、インク供給機構６０には、その上部に主部を配置するように加圧機構６４が設けられており、この加圧機構６４は、圧縮空気を送り出してインクカートリッジ１２内を加圧し、インクカートリッジ１２内のインクパックに貯留しているインクを送り出す。
【００５１】
また、キャリッジ６２のホームポジション（図４に示す位置）における下方側には、ヘッドメンテナンス機構８１が設けられている。
このヘッドメンテナンス機構８１は、ホームポジションに配置されたキャリッジ６２の下面に露出するインクジェットヘッド６１のインクノズルを覆うヘッドキャップ８２と、インクジェットヘッド６１のヘッドクリーニング動作やインク充填動作によってヘッドキャップ８２に排出されたインクを吸引する廃インク吸引ポンプ８３とを備えている。
【００５２】
そして、このヘッドメンテナンス機構８１の廃インク吸引ポンプ８３によって吸引されたインクは、チューブ８４を介して、廃インク吸収タンク８５へ送り込まれる。
この廃インク吸収タンク８５は、ケース８６内に図示しない吸収材を配設したもので、その上面は、複数の通気孔８７を有するカバー８８によって覆われている。
なお、ヘッドメンテナンス機構８１の下方には、廃インク吸収タンク８５の一部である廃インク受け部８９が設けられ、ヘッドメンテナンス機構８１から滴下したインクを受け止め、吸収材によって吸収するようになっている。
【００５３】
次に、本発明の実施形態におけるメディア処理装置１の制御構成要部について説明する。図５は本発明の実施形態に係るメディア処理装置の制御構成要部を示すブロック図である。
【００５４】
メディア処理装置１は、図５に示すように、各機能部（ハードウェア）を直接制御・駆動する各制御部（オートローダ制御部１０２、プリンタ制御部１０３）とこれらの各制御部に制御コマンドを送信して制御する主制御部１０１がそれぞれ独立している。このように、各機能部（ハードウェア）を直接に駆動・制御するオートローダ制御部１０２、プリンタ制御部１０３と、主制御部１０１がそれぞれ独立して設けられているので、各機能部（ハードウェア）の変更を伴わない、ホストコンピュータのソフトウェア仕様変更等があっても、主制御部１０１の変更（主制御部１０１の交換あるいは、主制御部１０１のソフトウェアの更新）のみで対処することができる。なお、オートローダ制御部１０２、プリンタ制御部１０３は、ＣＰＵとメモリを有し、メモリに記憶されているプログラムをＣＰＵが読み、各処理を実行する。
また、主制御部１０１は、受信したＡＳＢ（自動ステータスバック：ａｕｔｏ  ｓｔａｔｕｓ  ｂａｃｋ）に対する判定を行う自動ステータスバック判定部１０１Ａを有する。なお、主制御部１０１は、上記ＡＳＢを自発的にホストコンピュータ２００に送信する。さらに、主制御部１０１は、判定結果に基づいた制御コマンドをオートローダ制御部１０２へ送信する制御コマンド生成部１０１Ｂを有する。ＡＳＢとは自動的にステータスを生成して送信することだが、この実施例の中では、所定のステータスのことを意味することとする。
また、オートローダ制御部１０２は、メディア処理装置１における何らかの状態変化が検知されると、検知結果の検知信号をＡＳＢに変換し主制御部１０１に送信する自動ステータスバック送信部１０２Ａを有する。さらに、オートローダ制御部１０２は、制御コマンド変換部１０２Ｂを有する。
【００５５】
プリンタ制御部１０３は、レーベルプリンタ１１を制御して、メディアのレーベル面への印刷動作を行わせる。
【００５６】
主制御部１０１は、オートローダ制御部１０２及びプリンタ制御部１０３と接続され、制御コマンドによってこれらを制御する。また、主制御部１０１は、通信手段によってホストコンピュータ２００と接続されており、通常は、ホストコンピュータ２００から送信される書き込みデータ、印刷データ及びコマンドを解析して、オートローダ制御部１０２及びレーベルプリンタ１１に送信する。
【００５７】
図６は本実施形態に係るメディア処理装置の操作パネルの拡大図である。図６に示すように、操作パネル５には、点灯／消灯で状態を示す表示ランプである３個のＬＥＤと、メッセージ表示部であるＬＣＤ、入力操作のための各種入力キーが設けられている。
【００５８】
この３個のＬＥＤは、電源表示ランプＬＡ（Ｐｏｗｅｒ）、誤作動状態を示すエラー表示用であるエラー表示ランプＬＢ（Ｅｒｒｏｒ）、ビジー表示ランプＬＣ（Ｂｕｓｙ）である。
【００５９】
ＬＣＤは、複数桁及び複数行（例えば、図中、一点鎖線により示した１６桁×２行の区分）の文字、数字、記号等により、メニューや各種メッセージ等を表示するメッセージ表示部である。ＬＣＤに表示する文字、数字、記号等は、図示しない不揮発性記憶装置（ＥＥＰＲＯＭ等）に登録してあり、これを使用する。なお、新たな文字、数字、記号等を追加登録することも可能である。
【００６０】
入力キーは、電源の入／切を行う入力キーＫＳ１（ＰＯＷＥＲキー）、作成済みメディアを取り出すための入力キーＫＳ２（取出しキー）、メニューの起動／終了を行う入力キーＫＳ３（ＭＥＮＵキー）、処理を実行する入力キーＫＳ４（ＯＫキー）、処理を取り消す入力キーＫＳ５（Ｃａｎｃｅｌキー）、画面上のカーソル又は選択項目を右に移動する入力キーＫＳ６（右キー）、左に移動する入力キーＫＳ７（左キー）、上に移動する入力キーＫＳ８（上キー）、下に移動する入力キーＫＳ９（下キー）などである。
【００６１】
オートローダ制御部１０２は、メディアドライブ４１及びメディア搬送機構３１を制御してメディアへのデータ書き込みやメディアの搬送を行わせる。また、オートローダ制御部１０２は操作パネル５の入力キーＫＳ１〜ＫＳ９からの入力信号を受信し、ＬＣＤ（メッセージ表示部）及びＬＥＤ（表示ランプ）ＬＡ〜ＬＣの表示制御を行う。
【００６２】
次に、本発明の実施形態におけるメディア処理装置の制御方法について、図７のシーケンス図を参照して説明する。
【００６３】
メディア処理装置１における何らかの状態変化、例えば、電子錠の開錠、メディアの落下、引出トレイが開けられているなどの状態変化が検知されると（ステップＳ０１）、オートローダ制御部１０２の自動ステータスバック送信部１０２Ａは、状態変化の検知信号をＡＳＢに変換し（ステップＳ０２）、ＡＳＢを主制御部１０１に送信する（ステップＳ０３）。
【００６４】
このＡＳＢを受信すると、主制御部１０１の自動ステータスバック判定部１０１Ａは、ＡＳＢを判定し（ステップＳ０４）、その判定結果（状態変化が如何なるものか）に基づく処理を実行する。
【００６５】
上記判定結果に基づいて、例えば、ＬＣＤ（メッセージ表示部）、ＬＥＤ（表示ランプ）、ブザー、内部照明等を用いて、メディア処理装置１の状態変化の種類に応じた処理を実行する。即ち、制御コマンド生成部１０１Ｂは、この判定結果に基づいた制御コマンドを生成し（ステップＳ０５）、オートローダ制御部１０２へ送信する（ステップＳ０６）。
【００６６】
次に、オートローダ制御部１０２の制御コマンド変換部１０２Ｂは、受信した制御コマンドを制御信号に変換する（ステップＳ０７）。
【００６７】
次に、オートローダ制御部１０２は、変換された制御信号を操作パネル５等へ送信する（ステップＳ０８）。この制御信号により操作パネル５のＬＣＤ（メッセージ表示部）やＬＥＤ（表示ランプ）などが制御されて、状態変化の種類に基づく処理を実行する（ステップＳ０９）。具体的には例えば、ＬＣＤ（メッセージ表示部）の表示変更を行う、或いはＬＥＤ（表示ランプ）の点灯形態の変更を行う、或いはブザーを鳴らす、或いは内部照明を点灯／消灯する、などである。
【００６８】
なお、上記状態変化の種類に応じた処理の実行は、以下のような場合もある。オートローダ制御部１０２に、メディア処理装置１の電源のオン／オフを切り替えるための電源スイッチが接続されており、主制御部１０１がメディア処理装置１の電源のオン／オフ制御も行う場合がある。この場合、オートローダ制御部１０２において、電源スイッチがオフにされたという状態変化を検知し、この状態変化をＡＳＢとして主制御部１０１に送信する。主制御部１０１は、印刷処理中、データ書き込み処理中、搬送処理中などに、オートローダ制御部１０２から、上記電源スイッチがオフにされたという状態変化のＡＳＢを受信した場合は、上記各処理が終了するまで待機し、それぞれがあるいは全てが終了した後に電源をオフする処理を実行する。
即ち、オートローダ制御部に電源スイッチを接続し、主制御部に電源を接続する構成とすれば、メディアの処理中などの場合に電源スイッチをオン／オフする信号が入力されても、メディアの処理が終了してから電源をオフすることができる。
【実施例１】
【００６９】
次に、本発明の実施形態の実施例１に係るメディア処理装置及びメディア処理装置の制御方法について説明する。図８のシーケンス図を参照して詳細に説明する。
実施例１は、操作部５のメッセージ表示部（ＬＣＤ）にメッセージ表示部制御コマンド（ＬＣＤ制御コマンド）を送信する実施例である。このメッセージ表示部制御コマンド（ＬＣＤ制御コマンド）は、メッセージ表示部（ＬＣＤ）の表示変更を行う制御コマンドである。
【００７０】
まず、ＬＣＤに表示されているメニュー表示等を参照して、ユーザーは、操作パネル５の入力キーＫＳ１〜ＫＳ９を適宜操作する。これにより、操作された入力キーに応じた入力信号が、オートローダ制御部１０２へ送信され、オートローダ制御部１０２はこの入力信号を状態変化として検知する（ステップＳ１）。オートローダ制御部１０２の自動ステータスバック送信部１０２Ａは、この入力信号をＡＳＢ（自動ステータスバック）に変換し（ステップＳ２）、ＡＳＢを主制御部１０１に送信する（ステップＳ３）。
【００７１】
これを受けて、主制御部１０１の自動ステータスバック判定部１０１ＡはＡＳＢの判定を行い（ステップＳ４）、制御コマンド生成部１０１Ｂは、この判定に基づいてＬＣＤ制御コマンドを生成して（ステップＳ５）、オートローダ制御部１０２へ送信する（ステップＳ６）。なお、ホストコンピュータ２００からＬＣＤ表示に係る命令が送信された場合は、受信した命令を解析して、ＬＣＤ制御コマンドを生成する。
【００７２】
次に、オートローダ制御部１０２の制御コマンド変換部１０２Ｂは、受信したＬＣＤ制御コマンドをＬＣＤを制御・駆動するためのＬＣＤ制御信号に変換し（ステップＳ７）、このＬＣＤ制御信号をＬＣＤに送信する（ステップＳ８）。これにより、ＬＣＤの表示状態や表示されるメッセージ内容等が変更される（ステップＳ９）。
【００７３】
以上のようなＬＣＤ（メッセージ表示部）の表示制御に使用されるＬＣＤ制御コマンドの例を挙げて、以下、コマンドとそのコマンドのパラメータを示して説明する。
（１）コマンドＡ：ＬＣＤへ指定された文字列を表示するコマンド
コマンドＡ  ｍ  ｎ  ｄ１、ｄ２、・・・、ｄｋ
ｍは表示開始桁位置の指定、ｎは表示開始行の指定、ｄ１、ｄ２、・・・、ｄｋは表示文字コード列の指定を示すパラメータである。
（２）コマンドＢ：指定された表示状態の制御を行うコマンド
コマンドＢ  ｍ
ｍはパラメータであり、ｍ：０，１，２とする。ｍ＝０の場合は、ＬＣＤ画面を消去する。文字はクリアされ、カーソルの位置、カーソルの種類は初期化される。ｍ＝１の場合は、ＬＣＤ画面を表示する。文字及びカーソルが現在の状態で表示される。ｍ＝２の場合は、ＬＣＤ画面を非表示にする。
（３）コマンドＣ：カーソル位置の指定を行うコマンド
コマンドＣ  ｍ  ｎ
ｍは桁の指定、ｎは行の指定のパラメータであり、ｍ及びｎで指定された位置にカーソルを移動する。
（４）コマンドＤ：カーソル動作の指定を行うコマンド
コマンドＤ  ｍ  ｎ
ｍ，ｎはパラメータであり、ｍ：０，１、ｎ：０，１，２とする。ｍはカーソル動作の指定、ｎは設定値の指定であり、以下の表のようになる。
【表１】
2010108581.tif 000003
【００７４】
図９は、実施例１に係るメディア処理装置のＬＣＤ（メッセージ表示部）におけるユーザーの作業をガイドする際の一具体例を示した図である。前述のＬＣＤの表示制御方法によって、例えば、図９のようにＬＣＤの表示が遷移し、ユーザーの作業をガイドする。
【００７５】
図９において、待機中の状態（ＬＣＤは非表示）のとき、ユーザーがＯＫキーを押すと、図８に示したシーケンスの如く、ＯＫキーに係る入力信号がオートローダ制御部１０２へ送信され、オートローダ制御部１０２の自動ステータスバック送信部１０２ＡによりＡＳＢに変換して、主制御部１０１に送信する。
【００７６】
主制御部１０１の自動ステータスバック判定部１０１Ａは、このＡＳＢの判定を行い、制御コマンド生成部１０１Ｂは、この判定に基づいたメッセージの表示などを行うためのＬＣＤ制御コマンド「コマンドＢ  １」、「コマンドＡ  １  １  トップメニュー」および「コマンドＡ  １  ２  カイヘイトビラ  カイジョウ」を生成してオートローダ制御部１０２に送信する。オートローダ制御部１０２の制御コマンド変換部１０２Ｂは、これらのＬＣＤ制御コマンドをＬＣＤ制御信号に変換して、ＬＣＤに送信することにより、ＬＣＤに、「トップメニュー  カイヘイトビラ  カイジョウ」と表示され、開閉扉３の開錠に係るメニュー表示になる。
【００７７】
このとき、ユーザーがＯＫキーを押すと、ＯＫキーに係る入力信号がオートローダ制御部１０２へ送信され、オートローダ制御部１０２の自動ステータスバック送信部１０２Ａは、ＡＳＢに変換して主制御部１０１に送信する。主制御部１０１の自動ステータスバック判定部１０１Ａは、このＡＳＢの判定を行い、制御コマンド生成部１０１Ｂは、この判定に基づいたメッセージの表示などを行うためのＬＣＤ制御コマンド「コマンドＢ  ０」、「コマンドＡ  １  １  ユーザーバンゴウ」、「コマンドＤ  ０  ２」、「コマンドＣ  １  ２」を生成してオートローダ制御部１０２に送信し、オートローダ制御部１０２の制御コマンド変換部１０２Ｂは、これらのＬＣＤ制御コマンドをＬＣＤ制御信号に変換して、ＬＣＤに送信することにより、ＬＣＤの１行目に、「ユーザーバンゴウ」と表示され、ユーザー番号入力の画面となる。このユーザー番号入力の２行目の１桁目に、入力に係るカーソル位置が設定される（下線が表示される）。
【００７８】
そして、カーソル位置にユーザー番号を入力する。テンキーの代わりとして、上キーまたは下キーを押すごとに数字０〜９が変化するなどの方法により、ユーザー番号の１桁目の数字を入力する。右キーを押すとカーソル位置は２桁目に移動し、同様に２桁目の数字を入力し、順次ユーザー番号の全ての桁を入力が終わった時点で、ＯＫキーを押す。なお、これらも、前述のコマンドＡ〜Ｄを適宜使用し、図８の制御シーケンスの如くＬＣＤの制御が行われる。
【００７９】
次に、ＬＣＤ表示は「アンショウバンゴウ  ＸＸＸＸＸＸＸＸＸＸＸＸ」に変わり、暗証番号の入力画面となる。上記ユーザー番号入力と同様にして、順次暗証番号の全ての桁を入力が終わった時点で、ＯＫキーを押す。暗証番号が違っている場合は、ＬＣＤには「バンゴウガチガイマス」と表示され、次に、ＯＫキーまたはＣａｎｃｅｌキーを押すか、あるいはキーを押さずとも所定時間後にユーザー番号入力の画面に戻る。なお、これらも、前述のコマンドＡ〜Ｄを適宜使用し、図８の制御シーケンスの如くＬＣＤの制御が行われる。
【００８０】
暗証番号が正しい場合は、図８の制御シーケンスの如く、主制御部１０１は、オートローダ制御部１０２から送信されたＡＳＢを受けて、開閉扉３を開錠させる制御コマンドを生成してオートローダ制御部１０２へ送信し、これを受けてオートローダ制御部１０２は開閉扉３を施錠している電子錠を制御して、開閉扉３を開錠させる。
【００８１】
同時に、主制御部１０１の自動ステータスバック判定部１０１Ａは、このＡＳＢの判定を行い、制御コマンド生成部１０１Ｂは、この判定に基づいたメッセージの表示などを行うためのＬＣＤ制御コマンド「コマンドＢ  ０」、「コマンドＡ  １  １  カイヘイトビラヲ」および「コマンドＡ  １  ２  アケラレマス」を生成してオートローダ制御部１０２に送信し、オートローダ制御部１０２の制御コマンド変換部１０２Ｂは、これらのＬＣＤ制御コマンドをＬＣＤ制御信号に変換して、ＬＣＤに送信することにより、ＬＣＤに、「カイヘイトビラヲ  アケラレマス」の表示がなされる。
【００８２】
そして、ユーザーが開閉扉３を開けると、開いた状態をセンサが検知して、オートローダ制御部１０２の自動ステータスバック送信部１０２Ａによりこの情報をＡＳＢに変換して、主制御部１０１へ送信し、主制御部１０１の自動ステータスバック判定部１０１ＡがＡＳＢの判定を行い、制御コマンド生成部１０１Ｂはこの判定に基づいて、ＬＣＤ制御コマンド「コマンドＢ  ０」に続いて、「コマンドＡ  １  １  カイヘイトビラガ」および「コマンドＡ  １  ２  アイテイマス」を生成してオートローダ制御部１０２に送信し、オートローダ制御部１０２は、これらのＬＣＤ制御コマンドをＬＣＤ制御信号に変換して、ＬＣＤに送信することにより、ＬＣＤに「カイヘイトビラガ  アイテイマス」と表示される。さらに、ユーザーが開閉扉３を閉じると、閉じた状態をセンサが検知して、オートローダ制御部１０２の自動ステータスバック送信部１０２Ａは、この情報をＡＳＢに変換して主制御部１０１へ送信し、主制御部１０１の自動ステータスバック判定部１０１ＡがＡＳＢの判定を行い、制御コマンド生成部１０１Ｂはこの判定に基づいて、制御コマンドであるＬＣＤ制御コマンド「コマンドＢ  ２」を生成してオートローダ制御部１０２に送信し、オートローダ制御部１０２は、このＬＣＤ制御コマンドをＬＣＤ制御信号に変換して、ＬＣＤに送信することにより、ＬＣＤ画面を非表示にする（待機中の状態に戻る）。
【００８３】
なお、以降の説明においては、制御コマンドの内容等の詳細な説明は省略する。
あるいは、待機中の状態のとき、ユーザーがＭＥＮＵキーを押すとＬＣＤには、レーベルプリンタ１１のメンテナンスに係るトップメニューである「トップメニュー  メンテナンス」が表示される。ここでユーザーがＯＫキーを押すと、インクジェットヘッド６１のヘッドクリーニングのメニューとなり、ＬＣＤには、「メンテナンス  クリーニング」が表示される。
【００８４】
さらに、ユーザーがＯＫキーを押すと、ヘッドクリーニング動作の実行を促すように、「クリーニングヲ  ジッコウシマスカ？」と表示される。このとき、ユーザーがＯＫキーを押すと、前述のオートローダ制御部１０２に制御コマンドを送信するシーケンスと同様に、主制御部１０１はプリンタ制御コマンドをプリンタ制御部１０３に送信し、これを受けてプリンタ制御部１０３は、レーベルプリンタ１１のヘッドメンテナンス機構８１によるヘッドクリーニング動作を実行させる。
【００８５】
また、前述と同様のＬＣＤ表示制御に係るシーケンスによって、ＬＣＤには、「クリーニング  チュウ」の表示がなされる。ヘッドクリーニング動作が終了すると「クリーニング  カンリョウ」の表示がなされる。そして、ユーザーがＯＫキーまたはＣａｎｃｅｌキーを押すと「メンテナンス  クリーニング」の表示に戻る。
【００８６】
また、「メンテナンス  クリーニング」が表示されているとき、ユーザーが下キーを押すことにより、インクジェットヘッド６１のインクノズルが目詰まりしているかどうかを確認するためのノズルチェック（データが空のメディアにノズルチェックパターンを印刷する）の実行を促すように、「ノズルチェックヲ  ジッコウシマスカ？」と表示される。
【００８７】
このとき、ユーザーがＯＫキーを押すと、レーベルプリンタ１１により、メディアにノズルチェックパターンの印刷が実行され、ＬＣＤには、「ノズルチェックヨウ  メディアサクセイチュウ」の表示がなされる。ノズルチェックパターンの印刷が終了すると「ノズルチェック  カンリョウ」の表示がなされる。そして、ユーザーがＯＫキーまたはＣａｎｃｅｌキーを押すと「メンテナンス  クリーニング」の表示に戻る。
【００８８】
また、ＬＣＤに「トップメニュー  メンテナンス」が表示されているとき、ユーザーが下キーを押すことにより、言語設定のメニュー「トップメニュー  ゲンゴセッテイ」に表示が変わり、ＬＣＤに表示する言語を設定・変更することができる。ユーザーがＯＫキーを押すと「ゲンゴセッテイ  ＸＸＸＸＸＸＸＸＸ」（なお、ＸＸＸＸＸＸＸＸＸには、言語名が表示される。この言語名は、下キーまたは上キーによって、ニホンゴ、エイゴ、チュウゴクゴなどのように、変更することができる）と表示される。
【００８９】
ここで、ユーザーがＯＫキーを押すとＸＸＸＸＸＸＸＸＸに示される言語に表示言語が設定・変更され、ＬＣＤの表示は、設定・変更後の言語により「トップメニュー  ゲンゴセッテイ」の旨が示された表示になる。なお、ここでユーザーがＣａｎｃｅｌキーを押すと表示言語を変更せずに、「トップメニュー  ゲンゴセッテイ」に戻る。
【００９０】
なお、以上に述べた、トップメニューは上キーまたは下キーを押すことにより、他のさまざまなメニューに表示・遷移することができる。
【００９１】
以上、詳述したように、実施例１に係るメディア処理装置、メディア処理装置の制御方法及びその制御プログラムによれば、ユーザーがメディアの補充・取り出し、メンテナンスなどの作業行う際に、メディア処理装置１の操作パネル５に設けられたＬＣＤ（メッセージ表示部）に、メディア処理装置１の状態変化に基づく表示がなされるのをユーザーが見ることにより、このユーザーに対して操作の手順をガイドして、処理メニューの選択や処理モードの変更を円滑に行うことができる。
また、オートローダ制御部１０２と主制御部１０１がそれぞれ独立して設けられているので、ホストコンピュータ２００のソフトウェア仕様変更等があっても、主制御部１０１の変更（主制御部１０１の交換あるいは、主制御部１０１のソフトウェアの更新）のみで対処することができる。
【実施例２】
【００９２】
次に、本発明の実施形態の実施例２に係るメディア処理装置及びメディア処理装置の制御方法について説明する。
図１０は、実施例２に係るメディア処理装置の表示ランプ部Ｌの拡大図であり、図１１は実施例２に係るメディア処理装置の制御構成要部を示すブロック図である。
実施例２は、表示ランプ部Ｌの制御コマンドである表示ランプ同時制御コマンドを送信する実施例である。図１０に示すように、表示ランプ部Ｌは、表示ランプである複数のＬＥＤ、すなわち、ＰｏｗｅｒＬＥＤ、ＢｕｓｙＬＥＤ、ＥｒｒｏｒＬＥＤを備えている。そして、表示ランプ部Ｌは、図１１に示すように、オートローダ制御部（から送信される表示ランプ同時制御コマンド）によって制御される。なお、表示ランプ部Ｌは、前述の操作パネル５に設けられているもの、或いは、ＬＣＤや入力キーを含む操作パネル５を設けずに表示ランプ部Ｌのみがメディア処理装置に設けられているものであってもよい。
表示ランプ同時制御コマンドは、指定された複数のＬＥＤ（表示ランプ）の点灯／消灯の組み合わせである点灯パターンを同時に変更可能なコマンドであり、複数のＬＥＤの点灯パターンの組み合わせに固有の意味を持たせている。なお、実施例２におけるメディア処理装置１における状態変化の例としては、例えば、メディアドライブ４１、メディア搬送機構３１、レーベルプリンタ１１、開閉扉３，４など各部の動作の開始・停止、各種のエラー、警告などである。
【００９３】
次に、表示ランプ同時制御コマンドの仕様について説明する。
表示ランプ同時制御コマンドをコマンドＡとすると、以下のように表される。
コマンドＡ  ｍ１  ｎ１  ｍ２  ｎ２  ｍ３  ｎ３
ｍ（ｍ１，ｎ１，ｍ２）はＬＥＤの種類を指定するパラメータであり、ｍ＝０はＰｏｗｅｒＬＥＤ、ｍ＝１はＢｕｓｙＬＥＤ、ｍ＝２はＥｒｒｏｒＬＥＤである。
ｎ（ｎ２，ｍ３，ｎ３）は点灯パターンを指定するパラメータであり、ｎ＝０は消灯、ｎ＝１は点灯、ｎ＝２は点滅、ｎ＝３は速い点滅である。
【００９４】
次に、実施例２に係るメディア処理装置における表示ランプ部の制御方法において、図１２を参照して、表示ランプ部の３個のＬＥＤに対して点灯パターンを変更する場合の制御方法について説明する。図１２は表示ランプ同時制御コマンドによる３個のＬＥＤの同時制御のシーケンスを示す図である。
【００９５】
図１２において、メディア処理装置１における何らかの状態変化が検知される（ステップＳ１１）と、オートローダ制御部１０２の自動ステータスバック送信部１０２Ａは、上記状態変化の検知結果の検知信号をＡＳＢに変換し（ステップＳ１２）、ＡＳＢを主制御部１０１に送信する（ステップＳ１３）。これを受けて、主制御部１０１の自動ステータスバック判定部１０１ＡはＡＳＢを判定し（ステップＳ１４）、制御コマンド生成部１０１Ｂがこの判定結果に基づいて、表示ランプ部Ｌの３個のＬＥＤに対して点灯パターンを変更するようにパラメータを設定した表示ランプ同時制御コマンド、例えば、「コマンドＡ  ０  ２  １  １  ２  １」を発行する（ステップＳ１５）。
【００９６】
そして、「コマンドＡ  ０  ２  １  １  ２  １」をオートローダ制御部１０２へ送信する（ステップＳ１６）。オートローダ制御部１０２の制御コマンド変換部１０２Ｂは、この「コマンドＡ  ０  ２  １  １  ２  １」を個別の制御信号（ＰｏｗｅｒＬＥＤ制御信号、ＢｕｓｙＬＥＤ制御信号、ＥｒｒｏｒＬＥＤ制御信号）に変換する（ステップＳ１７）。
【００９７】
オートローダ制御部１０２は、ＰｏｗｅｒＬＥＤ制御信号をＰｏｗｅｒＬＥＤに送信して（ステップＳ１８Ａ）、その点灯パターンを変更し（ステップＳ１９Ａ）、ＢｕｓｙＬＥＤ制御信号をＢｕｓｙＬＥＤに送信して（ステップＳ１８Ｂ）、その点灯パターンを変更し（ステップＳ１９Ｂ）、ＥｒｒｏｒＬＥＤ制御信号をＥｒｒｏｒＬＥＤに送信して（ステップＳ１８Ｃ）、その点灯パターンを変更する（ステップＳ１９Ｃ）。なお、上記「コマンドＡ  ０  ２  １  １  ２  １」を送信する前の各ＬＥＤの点灯パターンが、ＰｏｗｅｒＬＥＤ「点灯」、ＢｕｓｙＬＥＤ「消灯」、ＥｒｒｏｒＬＥＤ「消灯」であったとすると、ＰｏｗｅｒＬＥＤの点灯パターンは「点灯」から「点滅」に変更される。また、ＢｕｓｙＬＥＤの点灯パターンは「消灯」から「点灯」に変更される。また、ＥｒｒｏｒＬＥＤの点灯パターンは「消灯」から「点灯」へ変更される。
【００９８】
次に、図１３を参照して、表示ランプ部の２個のＬＥＤに対して点灯パターンを変更する場合の制御方法について説明する。図１３は表示ランプ同時制御コマンドによる２個のＬＥＤの同時制御のシーケンスを示す図である。
【００９９】
図１３において、メディア処理装置１における何らかの状態変化が検知される（ステップＳ２１）と、オートローダ制御部１０２の自動ステータスバック送信部１０２Ａは、上記状態変化の検知結果の検知信号をＡＳＢに変換し（ステップＳ２２）、ＡＳＢを主制御部１０１に送信する（ステップＳ２３）。このＡＳＢを受信して、主制御部１０１の自動ステータスバック判定部１０１ＡはＡＳＢを判定し（ステップＳ２４）、制御コマンド生成部１０１Ｂがこの判定結果に基づいて、表示ランプ部Ｌの２個のＬＥＤに対して点灯パターンを変更するようにパラメータを設定した表示ランプ同時制御コマンド、例えば、「コマンドＡ  ０  ２  ２  ２」を発行する（ステップＳ２５）。
【０１００】
そして、「コマンドＡ  ０  ２  ２  ２」をオートローダ制御部１０２へ送信する（ステップＳ２６）。オートローダ制御部１０２の制御コマンド変換部１０２Ｂは、この「コマンドＡ  ０  ２  ２  ２」を個別の制御信号（ＰｏｗｅｒＬＥＤ制御信号、ＥｒｒｏｒＬＥＤ制御信号）に変換する（ステップＳ２７）。
【０１０１】
オートローダ制御部１０２は、ＰｏｗｅｒＬＥＤ制御信号をＰｏｗｅｒＬＥＤに送信して（ステップＳ２８Ａ）、その点灯パターンを変更し（ステップＳ２９Ａ）、ＥｒｒｏｒＬＥＤ制御信号をＥｒｒｏｒＬＥＤに送信して（ステップＳ２８Ｂ）、その点灯パターンを変更する（ステップＳ２９Ｂ）。なお、上記「コマンドＡ  ０  ２  ２  ２」を送信する前の各ＬＥＤの点灯パターンが、ＰｏｗｅｒＬＥＤ「点灯」、ＥｒｒｏｒＬＥＤ「消灯」であったとすると、ＰｏｗｅｒＬＥＤの点灯パターンは「点灯」から「点滅」に変更される。また、ＥｒｒｏｒＬＥＤの点灯パターンは「消灯」から「点滅」へ変更される。また、コマンドで指定しなかったＢｕｓｙＬＥＤは以前の状態を維持する。
【０１０２】
次に、図１４を参照して、表示ランプ部の１個のＬＥＤに対して点灯パターンを変更する場合の制御方法について説明する。図１４は表示ランプ同時制御コマンドによる１個のＬＥＤの同時制御のシーケンスを示す図である。
【０１０３】
図１４において、メディア処理装置１における何らかの状態変化が検知される（ステップＳ３１）と、オートローダ制御部１０２の自動ステータスバック送信部１０２Ａは、上記状態変化の検知結果の検知信号をＡＳＢに変換し（ステップＳ３２）、ＡＳＢを主制御部１０１に送信する（ステップＳ３３）。このＡＳＢを受信して、主制御部１０１の自動ステータスバック判定部１０１ＡはＡＳＢを判定し（ステップＳ３４）、制御コマンド生成部１０１Ｂがこの判定結果に基づいて、表示ランプ部Ｌの１個のＬＥＤに対して点灯パターンを変更するようにパラメータを設定した表示ランプ同時制御コマンド、例えば、「コマンドＡ  ２  １」を発行する（ステップＳ３５）。
【０１０４】
そして、「コマンドＡ  ２  １」をオートローダ制御部１０２へ送信する（ステップＳ３６）。オートローダ制御部１０２の制御コマンド変換部１０２Ｂは、「コマンドＡ  ２  １」をＥｒｒｏｒＬＥＤ制御信号に変換する（ステップＳ３７）。
オートローダ制御部１０２は、ＥｒｒｏｒＬＥＤ制御信号をＥｒｒｏｒＬＥＤに送信して（ステップＳ３８）、その点灯パターンを変更する（ステップＳ３９）。なお、上記「コマンドＡ  ２  １」を送信する前のＥｒｒｏｒＬＥＤの点灯パターンが「消灯」であったとすると、「消灯」から「点灯」に変更される。
【０１０５】
以上のような、実施例２に係るメディア処理装置、メディア処理装置の制御方法及びその制御プログラムによれば、１つの表示ランプ同時制御コマンドによって、同時に複数のＬＥＤ（表示ランプ）の点灯パターンを変更させることができるので、複数のＬＥＤ（表示ランプ）の点灯パターンの組み合わせに固有の意味を持たせる場合に、個々のＬＥＤ（表示ランプ）の点灯パターンの変化タイミングのずれを無くすこと、あるいは、少なくすることができる。また、複数のＬＥＤ（表示ランプ）を同時に点滅させたい場合に、点滅タイミングの同期がとりやすいようにすることができる。
また、オートローダ制御部１０２と主制御部１０１がそれぞれ独立して設けられているので、ホストコンピュータ２００のソフトウェア仕様変更等があっても、主制御部１０１の変更（主制御部１０１の交換あるいは、主制御部１０１のソフトウェアの更新）のみで対処することができる。
【実施例３】
【０１０６】
次に、本発明の実施形態の実施例３について、以下詳細に説明する。図１５は実施例３におけるメディア処理装置の内部処理を説明するブロック図である。
実施例３は、メディア処理装置１における何らかの状態変化は、メディア処理装置１が動作中に、電源スイッチがオフとなった場合の例であり、オートローダ制御部１０２が状態変化である「電源スイッチオフ」を検知して、これを自動ステータスバック（ＡＳＢ）に変換して、主制御部１０１へ送信する例である。
【０１０７】
実施例３のメディア処理装置１は、複数のクライアントコンピュータ２０１，２０２，２０３とＬＡＮなどのネットワークを介して通信可能に接続されており、クライアントコンピュータ２０１，２０２，２０３から送信されるメディア発行ジョブに基づきメディア作成処理を実行する。メディア処理装置１は複数のクライアントコンピュータ２０１，２０２，２０３によって共有されており、複数のユーザーが作成したメディア発行ジョブを処理することができるようになっている。
【０１０８】
図１５に示すように、メディア処理装置１は主として、主制御部１０１、ハードディスク５１、オートローダ制御部１０２、プリンタ制御部１０３、ドライブ制御部５４、電源５５、電源スイッチ５６及び操作パネル５に設置されたメッセージ表示部（ＬＣＤ）を備えている。
主制御部１０１は、クライアントコンピュータ２０１，２０２，２０３から送信されたメディア作成ジョブの管理を行う。複数のメディア作成ジョブの実行や終了を管理したり、メディア作成ジョブの実行・終了状態を各クライアントコンピュータへ報告したりする。例えば、クライアントコンピュータ２０１のメディア作成ジョブが正常終了したら、クライアントコンピュータ２０２のメディア作成ジョブを起動するといったジョブ管理を行う。
【０１０９】
また、主制御部１０１は、作成済みメディアＭの各スタッカへの収容位置をハードディスク５１内のジョブ管理テーブルによって管理する。例えば、前述したセキュリティモードにおいて、メディアスタッカ２２のメディア収容状態を図１６に示すようなジョブ管理テーブルによって管理する。
例えば、クライアントコンピュータ２０１のユーザー（ユーザーＩＤ：ｕｓｅｒ０１，パスワード：０１２３）が作成したメディア作成ジョブＡを受け付けると、主制御部１０１はジョブＡの実行を各部へ指示する。ジョブＡが終了するとメディアＭのジョブ管理テーブルを更新する。つまり、メディアスタッカ２２の第１層目（メディアスタッカ２２−１）にジョブＡの作成済みメディアＭが収容されたことを書き込む。このように、メディア作成ジョブを終了すると、メディア収容位置とユーザー識別情報とを対応付けて保存する。図１６では、メディアスタッカ２２の第１層目から第５層目まで作成済みメディアＭが収容された状態を示している。
【０１１０】
一方、メディアスタッカ２２に収容された作成済みメディアＭを取り出す際には、ユーザー識別情報の入力に応じて、識別情報と一致する作成済みメディアＭを排出するためのメディア排出ジョブを生成し実行する。例えば、識別情報としてユーザーＩＤ：ｕｓｅｒ０３，パスワード：８９０１が入力されると、メディアスタッカ２２の第３層目と第４層目に収容されている作成済みメディアＭをメディアスタッカ部７１へ排出するための排出ジョブを生成し実行する。
【０１１１】
すなわち、排出対象となっているジョブＣ及びジョブＤの作成済みメディアＭの上に積層されているジョブＥの作成済みメディアＭをメディアスタッカ２１へ搬送して一時的に待避させ、ジョブＣ及びジョブＤの作成済みメディアＭのみをメディアスタッカ部７１へ搬送する。そして、メディアスタッカ２１へ一時的に待避したジョブＥの作成済みメディアＭを元のメディアスタッカ２２へ戻す。この一連の搬送処理を排出ジョブとして生成し実行する。
排出ジョブが終了すると、図１７に示すようにメディア収容位置のうちメディアスタッカ２２−３，２２−４，２２−５を更新する。これにより、メディアスタッカ２２−３にはジョブＥの作成済みメディアが収容され、メディアスタッカ２２−４及びメディアスタッカ２２−５が空き状態になる。
【０１１２】
主制御部１０１には、メディア処理装置１の電源５５が接続されており、電源５５のオン／オフ制御も行う。例えば、オートローダ制御部１０２から電源スイッチオフのＡＳＢ（自動ステータスバック）を受信すると、自動ステータスバック判定部１０１Ａは受信したＡＳＢを判定し、この判定結果が電源スイッチオフであると判定されると、主制御部１０１は、作成済みメディアＭがメディア処理装置内に収容されているか否かを判定する。この判定は、上述したジョブ管理テーブルを参照することによって行う。作成済みメディアＭが収容されていないと判定した場合は、主制御部１０１は、電源５５をオフする処理を実行するよう制御する。
【０１１３】
また、主制御部１０１は、作成済みメディアＭの搬送処理の実行中に、オートローダ制御部１０２から上述した電源スイッチオフのＡＳＢを受信した場合は、排出指示の対象となっている作成済みメディアＭを、メディアスタッカ部７１まで搬送する一連の搬送処理が終了するまで待機し、終了した後に電源５５をオフする処理を実行するよう制御する。
さらに、クライアントコンピュータ２０１，２０２，２０３からのデータ受信中に、オートローダ制御部１０２から電源スイッチオフの自動ステータスバック（ＡＳＢ）を受信した場合は、データ受信が終了するまで待機し、終了した後に電源をオフする処理を実行するよう制御する。
また、主制御部１０１は、プリンタ制御部１０３によるレーベルプリンタ１１の印刷処理中の場合や、ドライブ制御部５４によるメディアドライブ４１のデータ書き込み処理中に、オートローダ制御部１０２から電源スイッチオフのＡＳＢを受信した場合は、印刷処理信やデータ書き込み処理が終了するまで待機し、それぞれがあるいは全てが終了した後に電源をオフする処理を実行するよう制御する。なお、これらの処理に、搬送処理も含まれていてもよい。
【０１１４】
オートローダ制御部１０２は、各ジョブに応じたオートローダ３１の搬送処理を制御する。また、オートローダ制御部１０２にはメディア処理装置１の電源５５のオン／オフを切り替えるための電源スイッチ５６が接続されている。電源スイッチ５６をオフする信号が入力されると、オートローダ制御部１０２の自動ステータスバック送信部１０２Ａは、電源スイッチ５６がオフに切り替わったという状態変化の検知結果の検知信号をＡＳＢ（自動ステータスバック）に変換し、この電源スイッチオフのＡＳＢを主制御部１０１に送信する。
【０１１５】
プリンタ制御部１０３は、各メディア作成ジョブに基づきレーベルプリンタ１１の印刷処理を制御する。ＣＤ／ＤＶＤなどのメディアＭのレーベル面にレーベル印刷を行う。
また、ドライブ制御部５４は、各メディア作成ジョブに基づきメディアドライブ４１のデータ書き込み処理を制御する。メディアＭのデータ書き込み面にデータを書き込む。
【０１１６】
操作パネル５に設けられたメッセージ表示部（ＬＣＤ）は、メディア処理装置１の各種状態を表示する。本実施例３では、電源スイッチ５６によってオフ信号が入力されたが、実際に電源オフ処理が実行できなかった場合に、その旨のメッセージを表示する。
【０１１７】
次に、上述したメディア処理装置の制御方法について説明する。図１８は、実施例３の制御方法を説明するためのフローチャートである。
実施例３の制御方法は、メディア処理装置１内に作成済みメディアＭを残存させた状態で、電源スイッチ５６のオフ信号が入力されでも、直ちに電源オフ処理を実行しないよう設定されている。すなわち、情報資産が書き込まれた作成済みメディアＭが残存している虞がある間は、電源５５をオン状態にしておきセキュリティシステムを維持することによって、正当なメディア作成者以外の者に作成済みメディアを入手されることを防止する。
以下では、セキュリティシステムを維持するために、どのように電源５５のオン／オフ処理を制御しているかについて説明する。
【０１１８】
まず、オートローダ制御部１０２が、電源スイッチ５６によって電源５５をオフするためのオフ信号の入力（状態変化）を検知すると（ステップＳ１１１：Ｙｅｓ）、主制御部１０１に電源スイッチ５６が押下された旨の電源スイッチオフのＡＳＢを送信する（ステップＳ１２１）。
【０１１９】
主制御部１０１は電源スイッチオフのＡＳＢを受信すると、作成済みメディアＭがメディアスタッカ２１，２２、メディアスタッカ部７１及び（別体の）メディアスタッカ７２に作成済みメディアが収容されているか否かを判定する。上述したように、各スタッカのジョブ管理テーブルを参照することによって、作成済みメディアＭが収容されているか否かを判定することができる。収容されていると判定した場合（ステップＳ１２１：Ｙｅｓ）、制御コマンド生成部１０１Ｂは、電源５５をオフできない旨のメッセージ表示部制御コマンドを生成してオートローダ制御部１０２に送信する（ステップＳ１２５）。オートローダ制御部１０２の制御コマンド変換部１０２Ｂは、電源５５をオフできない旨のメッセージ表示部制御コマンドをＬＣＤ制御信号に変換しメッセージ表示部（ＬＣＤ）へ送信する（ステップＳ１１３）。このＬＣＤ制御信号により、操作パネル５に設置されたメッセージ表示部（ＬＣＤ）に作成済みメディアＭを残したまま電源５５をオフできない旨のメッセージ表示がなされる（ステップＳ１１４）。
【０１２０】
一方、主制御部１０１は各スタッカのジョブ管理テーブルを参照し、作成済みメディアＭが収容されていないと判定した場合は（ステップＳ１２１：Ｎｏ）、一連の搬送処理を実行中か否かを判定する。すなわち、上述した排出ジョブの実行中であれば（ステップＳ１２２：Ｙｅｓ）、制御コマンド生成部１０１Ｂは、電源５５をオフできない旨のメッセージ表示部制御コマンドを生成してオートローダ制御部１０２に送信し（ステップＳ１２５）、排出ジョブが終了するまで待機してから電源オフを実行する。
【０１２１】
一方、排出ジョブを実行中でなければ（ステップＳ１２２：Ｎｏ）、クライアントコンピュータ２０１，２０２，２０３からデータ受信中であるか否かを判定する。データ受信中であれば、制御コマンド生成部１０１Ｂは、電源５５をオフできない旨のメッセージ表示部制御コマンドを生成してオートローダ制御部１０２に送信し（ステップＳ１２５）、データ受信が完了するまで待機してから電源オフを実行する。
データ受信中でない場合は（ステップＳ１２３：Ｎｏ）、主制御部１０１は電源５５のオフ処理を実行する（ステップＳ１２４）。
【０１２２】
なお、ステップＳ１１１で電源スイッチ５６の押下時間を検出して、電源スイッチオフとともに押下時間のＡＳＢを送信してもよい。電源スイッチ５６の押下時間に応じて、電源５５のオフ処理が実行されるよう設定することができる。例えば、３秒以上押下された旨のＡＳＢが主制御部１０１に送信された場合は、どのような動作の実行中であっても電源５５をオフし強制終了するよう設定することもできる。
このような設定を行った場合でも、電源スイッチ５６はオートローダ制御部１０２に接続されているので、押下時間や検出方法の設定変更を容易に行うことができる。
【０１２３】
上述したように、実施例３によれば、電源スイッチ５６はオートローダ制御部１０２に接続され、電源５５は主制御部１０１に接続されている。つまり、電源スイッチ５６と電源５５とは別の制御部に接続されているので、電源スイッチ５６をオン／オフする信号が入力されても直ちに電源がオフされることがない。また、電源が接続された主制御部１０１は、作成済みのメディアＭが保管されていないと判定した場合に電源５５をオフする。すなわち、メディア処理装置内に作成済みメディアＭが保管された状態では電源５５がオフされることがない。このため、ＩＤ・パスワード等で識別認証を行ってから開錠する等のセキュリティシステムが維持されるので正当なメディア作成者以外の者に作成済みメディアを入手されることを防止することができる。
【０１２４】
また、実施例３によれば、排出対象となっている作成済みメディアＭを排出する一連の搬送処理が終了するまで電源５５がオフされることがない。図１７に示したように作成済みメディアＭが５枚積層されたメディアスタッカ２２から、ジョブＣ及びジョブＤの作成メディアＭだけを排出したい場合は、その作成済みメディアＭの上に重なっているジョブＥの作成済みメディアＭをオートローダ３１が１枚ずつ取り出してメディアスタッカ２１へ移動させ、ジョブＣ及びジョブＤの作成済みメディアＭだけをメディアスタッカ部７１へ排出する。そして、先に移動させておいたジョブＥの作成済みメディアＭを元のメディアスタッカ２２へ戻す、という一連の搬送処理を実行する必要がある。実施例３によれば、何れかの作成済みメディアＭの搬送中に電源５５がオフされることがないため、作成済みメディアＭの積層順が入れ替わってしまうことを防止することができ、作成済みメディアＭが正当なユーザーに対して排出されることを保証することができる。
【０１２５】
また、実施例３によれば、クライアントコンピュータ２０１，２０２，２０３からのデータ受信中にオートローダ制御部１０２から電源スイッチオフのＡＳＢを受信した場合も、データ受信が終了するまで電源５５がオフされることがないので、受信中のデータが途切れることを防止し、情報資産を保護することができる。
【０１２６】
また、本実施例３では、主制御部１０１がジョブ管理を行っているため、作成済みメディアＭが収容されているか否かの判定をジョブ管理テーブルを参照するだけで行うことができる。したがって、作成済みメディアＭの有無を検出するための検出機構を別途設ける必要がなく、また検出処理を行う必要もない。
【符号の説明】
【０１２７】
１…メディア処理装置、３,４…開閉扉、５…操作パネル、Ｌ…表示ランプ部、ＬＡ，ＬＢ，ＬＣ…表示ランプ、ＬＣＤ…メッセージ表示部、ＫＳ１〜ＫＳ９…入力キー、１１…レーベルプリンタ、２１，２２，２２−１，２２−３，２２−４，２２−５…メディアスタッカ、３１…メディア搬送機構、４１…メディアドライブ、５４…ドライブ制御部、５５…電源、５６…電源スイッチ、１０１…主制御部、１０１Ａ…自動ステータスバック判定部、１０１Ｂ…制御コマンド生成部、１０２…オートローダ制御部、１０２Ａ…自動ステータスバック送信部、１０２Ｂ…制御コマンド変換部、１０３…プリンタ制御部、２００…ホストコンピュータ、２０１，２０２，２０３…クライアントコンピュータ
【図１】
2010108581.tif 000004
【図２】
2010108581.tif 000005
【図３】
2010108581.tif 000006
【図４】
2010108581.tif 000007
【図５】
2010108581.tif 000008
【図６】
2010108581.tif 000009
【図７】
2010108581.tif 000010
【図８】
2010108581.tif 000011
【図９】
2010108581.tif 000012
【図１０】
2010108581.tif 000013
【図１１】
2010108581.tif 000014
【図１２】
2010108581.tif 000015
【図１３】
2010108581.tif 000016
【図１４】
2010108581.tif 000017
【図１５】
2010108581.tif 000018
【図１６】
2010108581.tif 000019
【図１７】
2010108581.tif 000020
【図１８】
2010108581.tif 000021
【図１９】
2010108581.tif 000022